(57)【要約】【課題】小型かつ携帯可能であって、ユーザが入手したカード（名刺を含む）をその場で読み取ってデジタルデータ（画像データ）に変換してスマートフォン等の情報端末に記憶させることを、手間なく容易に行うことができるカード読取システムを提供する。【解決手段】スキャナヘッドから取り込んだ細長状画像データのそれぞれに前記挿入速度検出手段から取り込んだ速度検出信号に基づいた挿入速度を対応付け、スキャナヘッドから取り込んだ複数の細長状画像データを順番に並べてカードに対応する一時面状画像データを作成し、各細長状画像データに対応付けられている挿入速度に応じて一時面状画像データを補正した面状画像データを作成し、作成した面状画像データを、通信手段を介して情報端末２０に送信するカード読取装置１Ａとして構成されているカード読取システム。【選択図】図１
2017069869.tif 000002
【特許請求の範囲】
【請求項１】
名刺を含むカードを挿入するための挿入スリットが形成されたケースと、
前記挿入スリットの近傍に設けられて前記挿入スリットの長手方向に延びる長尺状のスキャナヘッドであって、前記挿入スリットから挿入されたカードにおける自身に対向している個所に対応する細長状の画像データである細長状画像データを次々と作成可能なスキャナヘッドと、
前記挿入スリットの近傍に設けられて前記挿入スリットから挿入されたカードの挿入速度に応じた速度検出信号を出力する挿入速度検出手段と、
スマートフォンまたはタブレット型コンピュータまたはパーソナルコンピュータの少なくとも１つを含む情報端末と無線または有線にて通信することが可能な通信手段と、
スキャナ制御手段と、を備え、
前記カードは、ユーザによって前記挿入スリットから押し込まれ、
前記スキャナ制御手段は、前記スキャナヘッドから取り込んだ前記細長状画像データのそれぞれに前記挿入速度検出手段から取り込んだ速度検出信号に基づいた挿入速度を対応付け、前記スキャナヘッドから取り込んだ複数の前記細長状画像データを順番に並べて前記カードに対応する一時面状画像データを作成し、各細長状画像データに対応付けられている挿入速度に応じて前記一時面状画像データを補正した面状画像データを作成し、作成した前記面状画像データを、前記通信手段を介して前記情報端末に送信し、
前記スキャナヘッドと、前記挿入速度検出手段と、前記通信手段と、前記スキャナ制御手段と、が前記ケース内に収容されて、前記挿入スリットから挿入されたカードを読み取り可能なカード読取装置として構成されている、
カード読取システム。
【請求項２】
請求項１に記載のカード読取装置と、
前記情報端末にインストールされて前記通信手段と通信するための通信プログラムと、にて構成されたカード読取システムであって、
前記情報端末は、現在位置を測位する位置情報取得手段と、現在日時を計時する計時手段とを有しており、
前記通信プログラムは、前記情報端末を、
前記カード読取装置から前記面状画像データを受信する補正後データ受信手段、
前記補正後データ受信手段にて受信した前記面状画像データに、前記位置情報取得手段にて測位した現在位置情報と、前記計時手段にて計時した現在日時情報と、を対応付けた前記面状画像データを記憶するデータ記憶手段、として機能させる、
カード読取システム。
【請求項３】
請求項１に記載のカード読取装置と、
前記情報端末にインストールされて前記通信手段と通信するための通信プログラムと、にて構成されたカード読取システムであって、
前記カード読取装置における前記スキャナ制御手段は、前記一時面状画像データの作成も前記面状画像データの作成も行うことなく、前記挿入速度が対応付けられている前記細長状画像データを、前記通信手段を介して前記情報端末に送信し、
前記通信プログラムは、前記情報端末を、
前記カード読取装置から前記挿入速度が対応付けられている前記細長状画像データを受信する補正前データ受信手段、
前記補正前データ受信手段にて受信した前記細長状画像データを順番に並べて前記カードに対応する前記一時面状画像データを作成し、各細長状画像データに対応付けられている挿入速度に応じて前記一時面状画像データを補正した面状画像データを作成する面状画像データ作成手段、
前記面状画像データ作成手段にて作成した前記面状画像データを記憶するデータ記憶手段、として機能させる、
カード読取システム。
【請求項４】
請求項３に記載のカード読取システムであって、
前記情報端末は、現在位置を測位する位置情報取得手段と、現在日時を計時する計時手段とを有しており、
前記通信プログラムは、前記情報端末を、
前記データ記憶手段として機能させる際、
前記面状画像データ作成手段にて作成した前記面状画像データに、前記位置情報取得手段にて測位した現在位置情報と、前記計時手段にて計時した現在日時情報と、を対応付けた前記面状画像データを記憶するデータ記憶手段、として機能させる、
カード読取システム。
【請求項５】
請求項１に記載のカード読取システムであって、
前記通信手段を有することなく、作成した前記面状画像データを、前記通信手段を介して前記情報端末に送信することなく、前記カード読取装置に装着された着脱可能な記憶媒体に記憶する、
カード読取システム。
【請求項６】
請求項５に記載のカード読取装置と、
前記情報端末にインストールされて前記情報端末に装着された前記記憶媒体からデータの読み出しが可能な読み出しプログラムと、にて構成されたカード読取システムであって、
前記情報端末は、現在位置を測位する位置情報取得手段と、現在日時を計時する計時手段とを有しており、
前記読み出しプログラムは、前記情報端末を、
前記記憶媒体から前記面状画像データを取得する補正後データ取得手段、
前記補正後データ取得手段にて取得した前記面状画像データに、前記位置情報取得手段にて測位した現在位置情報と、前記計時手段にて計時した現在日時情報と、を対応付けた前記面状画像データを記憶するデータ記憶手段、として機能させる、
カード読取システム。
【請求項７】
請求項５に記載のカード読取装置と、
前記情報端末にインストールされて前記情報端末に装着された前記記憶媒体からデータの読み出しが可能な読み出しプログラムと、にて構成されたカード読取システムであって、
前記カード読取装置における前記スキャナ制御手段は、前記一時面状画像データの作成も前記面状画像データの作成も行うことなく、前記挿入速度が対応付けられている前記細長状画像データを、前記記憶媒体に記憶し、
前記読み出しプログラムは、前記情報端末を、
前記記憶媒体から前記挿入速度が対応付けられている前記細長状画像データを取得する補正前データ取得手段、
前記補正前データ取得手段にて取得した前記細長状画像データを順番に並べて前記カードに対応する前記一時面状画像データを作成し、各細長状画像データに対応付けられている挿入速度に応じて前記一時面状画像データを補正した面状画像データを作成する面状画像データ作成手段、
前記面状画像データ作成手段にて作成した前記面状画像データを記憶するデータ記憶手段、として機能させる、
カード読取システム。
【請求項８】
請求項７に記載のカード読取システムであって、
前記情報端末は、現在位置を測位する位置情報取得手段と、現在日時を計時する計時手段とを有しており、
前記読み出しプログラムは、前記情報端末を、
前記データ記憶手段として機能させる際、
前記面状画像データ作成手段にて作成した前記面状画像データに、前記位置情報取得手段にて測位した現在位置情報と、前記計時手段にて計時した現在日時情報と、を対応付けた前記面状画像データを記憶するデータ記憶手段、として機能させる、
カード読取システム。
【請求項９】
請求項１〜８のいずれか一項に記載のカード読取システムであって、
前記スキャナ制御手段は、
前記挿入速度検出手段にて検出した挿入速度が速度無しの状態から速度有りの状態となった場合あるいは前記スキャナヘッドが前記カードを認識していない状態から認識した状態となった場合、の少なくとも一方にて、前記スキャナヘッドによる前記細長状画像データの作成を開始し、
前記挿入速度検出手段にて検出した挿入速度が速度有りの状態から速度無しの状態となった場合、あるいは前記ケースの底に設けられた接触検出手段にて前記カードが接触したことを検出した場合、あるいは前記接触検出手段にて前記カードの接触時の衝撃が所定の閾値以上であることを検出した場合、あるいは前記接触検出手段にて前記カードの接触時の加速度が所定閾値以上であることを検出した場合、の少なくとも１つにて、前記スキャナヘッドによる前記細長状画像データの作成を終了する、
カード読取システム。
【請求項１０】
請求項１〜８のいずれか一項に記載のカード読取システムであって、
前記挿入速度検出手段は、挿入されたカードに接触してカードの挿入方向に沿って回転するローラを有しており、
前記スキャナ制御手段は、
前記挿入速度検出手段にて検出した挿入速度が速度無しの状態から速度有りの状態となった場合あるいは前記スキャナヘッドが前記カードを認識していない状態から認識した状態となった場合、の少なくとも一方にて、前記スキャナヘッドによる前記細長状画像データの作成を開始し、
前記ローラの回転量が所定量となった時点で、前記スキャナヘッドによる前記細長状画像データの作成を終了する、
カード読取システム。
【請求項１１】
請求項１〜１０のいずれか一項に記載のカード読取システムであって、
前記カード読取装置が、前記挿入スリットから挿入された前記カードをさらに挿入方向に移動させるあるいは挿入方向とは逆方向となる排出方向に移動させることが可能な、前記ケースの表面に外周面の少なくとも一部が露出した補助ローラを備えている、
カード読取システム。
【請求項１２】
請求項１〜１１のいずれか一項に記載のカード読取システムであって、
前記カード読取装置の前記挿入スリットのいずれかの位置には、挿入終了位置まで挿入されたカードにおける挿入方向とは反対側の縁部が前記挿入スリットから露出するように切欠きが設けられている、
カード読取システム。
【請求項１３】
請求項１〜１２のいずれか一項に記載のカード読取システムであって、
前記カード読取装置における前記ケースのサイズは、既存の名刺ホルダ内に収容可能なサイズに形成されている、
カード読取システム。
【発明の詳細な説明】
【技術分野】
【０００１】
本発明は、名刺を含むカードを読み取って当該カードのデジタルデータである画像データを作成するカード読取システムに関する。
【背景技術】
【０００２】
従来より、主にビジネスの現場では、ユーザは種々の場所で名刺交換を行っており、種々の外出先で名刺を入手している。従来では、ユーザは、入手したカード状の名刺を名刺ホルダに収容させて整理していたが、例えば数百枚以上もの名刺を収容した名刺ホルダを持ち歩くのは非常に困難であった。しかし近年では、ユーザは、スマートフォン等の携帯可能な情報端末を持ち歩き、当該情報端末に、名刺をデジタルデータ化して保存することで、例えば数百枚以上もの名刺であっても、手軽に持ち歩くことができる。
【０００３】
しかし、情報端末に、例えば数百枚以上もの名刺のデジタルデータを保存することは容易であるが、各名刺をデジタルデータ化することは容易ではなく、多大な手間と時間がかかる。そこで、名刺を含むカードを読み取ってデジタルデータ化する作業を、手間なく、容易に、カードを入手したその場で、行うことが可能なカード読取システムが望まれている。
【０００４】
例えばスマートフォンのアプリケーション（ソフトウェア）の中には、スマートフォンのカメラを用いて撮像した名刺をデジタルデータ化して整理することができるものが存在する。ユーザは、アプリケーションを起動して、机上に置いた名刺の上にスマートフォンをかざしてフォーカスや方向を調節して撮像することで、名刺をデジタルデータ化することができる。
【０００５】
また特許文献１には、液体を充填した防振容器を備え、スキャナユニットをスキャン方向、及び戻り方向に移動させて原稿（カード等）を読み取ってデジタルデータ化することができる移動走査型画像読取装置が開示されている。特許文献１の発明では、モータにてスキャナユニットをスキャン方向や戻り方向に移動させた際に発生する低周波振動を、液体を充填した防振容器を備えることで、手軽に抑制している。
【０００６】
また特許文献２には、ＡＤＦ（オート・ドキュメント・フィーダ）を備えて、名刺ホルダに収容された複数の名刺を、次々に読み取ってデジタルデータ化することができる画像読取装置が開示されている。
【先行技術文献】
【特許文献】
【０００７】
【特許文献１】特開２００３−２１５７２７号公報
【特許文献２】特開２０１３−２５０７２５号公報
【発明の概要】
【発明が解決しようとする課題】
【０００８】
スマートフォンのアプリケーションを用いて名刺等のカードを読み取ってデジタルデータ化する方法では、カードを入手したその場で行うことも可能ではあるが、意外と手間がかかる。もともとスマートフォンのカメラのフォーカスは、人物を撮像するのに適した距離（数ｍ程度）であればオートフォーカス機能が有効に動作するが、机上に置いたカードまでの距離（例えば１０ｃｍ〜３０ｃｍ程度）にフォーカスを合わせるのは、あまり得意としていない。ユーザは、机上に置いたカードにフォーカスが合うまで、試行錯誤しながらスマートフォンの位置や方向を調整しなければならず、また手ブレも発生しやすく、１枚のカードを撮像するまでに、例えば１０秒以上もかかってしまう場合がある。
【０００９】
また特許文献１に記載の発明では、スキャナユニットをスキャン方向や戻り方向に移動させるためのモータと、液体を充填した防振容器と、が必要であり、装置のサイズが大型化して携帯することが困難である。従って、外出先で入手したカードをその場でデジタルデータ化することはできない。また携帯可能とするためには、内蔵する電源をより小さくする必要があり、消費電力を抑える必要がある。しかし、スキャナユニットを移動させるモータは消費電力が比較的多く、液体を充填した防振容器を備えて質量を増加させたスキャナユニットを移動させるので、さらに消費電力が増加してしまい、好ましくない。
【００１０】
また特許文献２に記載の発明も、特許文献１に記載の発明と同様に、ＡＤＦ用のモータや複数のローラ、及びスキャナユニット用のモータ等が必要であるとともに、複数の名刺を収容した名刺ホルダを載置できるサイズが必要であるので、装置のサイズが大型化して携帯することが困難である。またＡＤＦを備えて消費電力も非常に大きいので電源を内蔵することも非常に困難である。
【００１１】
本発明は、このような点に鑑みて創案されたものであり、小型かつ携帯可能であって、ユーザが入手したカード（名刺を含む）をその場で読み取ってデジタルデータ（画像データ）に変換してスマートフォン等の情報端末に記憶させることを、手間なく容易に行うことができるカード読取システムを提供することを課題とする。
【課題を解決するための手段】
【００１２】
上記課題を解決するため、本発明に係るカード読取システムは次の手段をとる。まず、本発明の第１の発明は、名刺を含むカードを挿入するための挿入スリットが形成されたケースと、前記挿入スリットの近傍に設けられて前記挿入スリットの長手方向に延びる長尺状のスキャナヘッドであって、前記挿入スリットから挿入されたカードにおける自身に対向している個所に対応する細長状の画像データである細長状画像データを次々と作成可能なスキャナヘッドと、前記挿入スリットの近傍に設けられて前記挿入スリットから挿入されたカードの挿入速度に応じた速度検出信号を出力する挿入速度検出手段と、スマートフォンまたはタブレット型コンピュータまたはパーソナルコンピュータの少なくとも１つを含む情報端末と無線または有線にて通信することが可能な通信手段と、スキャナ制御手段と、を備えたカード読取システムである。そして、前記カードは、ユーザによって前記挿入スリットから押し込まれ、前記スキャナ制御手段は、前記スキャナヘッドから取り込んだ前記細長状画像データのそれぞれに前記挿入速度検出手段から取り込んだ速度検出信号に基づいた挿入速度を対応付け、前記スキャナヘッドから取り込んだ複数の前記細長状画像データを順番に並べて前記カードに対応する一時面状画像データを作成し、各細長状画像データに対応付けられている挿入速度に応じて前記一時面状画像データを補正した面状画像データを作成し、作成した前記面状画像データを、前記通信手段を介して前記情報端末に送信し、前記スキャナヘッドと、前記挿入速度検出手段と、前記通信手段と、前記スキャナ制御手段と、が前記ケース内に収容されて、前記挿入スリットから挿入されたカードを読み取り可能なカード読取装置として構成されている、カード読取システムである。
【００１３】
この第１の発明によれば、スキャナヘッドを移動させるのではなく、カードを移動させる。さらに、モータを用いてカードを移動させるのではなく、ユーザがカードを挿入スリットから押し込んで移動させる。これにより読み取り時の移動速度を一定にするために必要であったスキャナヘッドを移動させる空間やモータが不要となるので、小型で携帯可能なカード読取システムを実現することができる。また、ユーザによるカードの押し込み速度が、カード読み取り時の移動速度となるので、移動速度が不安定となり、画像データに歪みが発生する可能性がある。しかし、移動速度（挿入速度）を用いて補正した面状画像データを作成することで、カードの移動速度（挿入速度）が不安定であっても、適切に画像データの歪みを補正することができる。また、ユーザは、挿入スリットからカードを押し込むだけで良いので、入手したカードをその場で読み取ってデジタルデータ（面状画像データ）に変換してスマートフォン等の情報端末に記憶させることを、手間なく容易に行うことができる。
【００１４】
次に、本発明の第２の発明は、上記第１の発明に係るカード読取装置と、前記情報端末にインストールされて前記通信手段と通信するための通信プログラムと、にて構成されたカード読取システムであって、前記情報端末は、現在位置を測位する位置情報取得手段と、現在日時を計時する計時手段とを有している。そして、前記通信プログラムは、前記情報端末を、前記カード読取装置から前記面状画像データを受信する補正後データ受信手段、前記補正後データ受信手段にて受信した前記面状画像データに、前記位置情報取得手段にて測位した現在位置情報と、前記計時手段にて計時した現在日時情報と、を対応付けた前記面状画像データを記憶するデータ記憶手段、として機能させる、カード読取システムである。
【００１５】
この第２の発明によれば、第１の発明に加えて、前記情報端末側で前記スキャナ制御手段側から受信した面状画像データに、現在位置情報と現在日時情報とを対応付けた面状画像データを記憶することができる。これにより、読み取ったデータである名刺を含む各カードをいつどこで受け取ったかをデータとして情報端末に記憶しておくことができる。これにより、例えば、名刺に記載された名前を見ただけでは思い出せないような人物であっても、入手した場所と日時から、ユーザに名刺の人物を思い出させることを支援することができる。
【００１６】
次に、本発明の第３の発明は、上記第１の発明に係るカード読取装置と、前記情報端末にインストールされて前記通信手段と通信するための通信プログラムと、にて構成されたカード読取システムであって、前記カード読取装置における前記スキャナ制御手段は、前記一時面状画像データの作成も前記面状画像データの作成も行うことなく、前記挿入速度が対応付けられている前記細長状画像データを、前記通信手段を介して前記情報端末に送信する。そして、前記通信プログラムは、前記情報端末を、前記カード読取装置から前記挿入速度が対応付けられている前記細長状画像データを受信する補正前データ受信手段、前記補正前データ受信手段にて受信した前記細長状画像データを順番に並べて前記カードに対応する前記一時面状画像データを作成し、各細長状画像データに対応付けられている挿入速度に応じて前記一時面状画像データを補正した面状画像データを作成する面状画像データ作成手段、前記面状画像データ作成手段にて作成した前記面状画像データを記憶するデータ記憶手段、として機能させる、カード読取システムである。
【００１７】
この第３の発明は、カードの挿入速度に応じて補正した面状画像データの作成を、カード読取装置の側で行う第１の発明に対して、情報端末の側で行う。このため、情報端末に、補正を行うためのアプリケーションである通信プログラムをインストールする必要があるが、カード読取装置に搭載するプログラムを、よりシンプルにしてカード読取装置の処理負荷を軽減し、カード読取装置の消費電力を低減することができる。従って、カード読取装置のより小型化に寄与することができる。
【００１８】
次に、本発明の第４の発明は、上記第３の発明に係るカード読取システムであって、前記情報端末は、現在位置を測位する位置情報取得手段と、現在日時を計時する計時手段とを有している。そして、前記通信プログラムは、前記情報端末を、前記データ記憶手段として機能させる際、前記面状画像データ作成手段にて作成した前記面状画像データに、前記位置情報取得手段にて測位した現在位置情報と、前記計時手段にて計時した現在日時情報と、を対応付けた前記面状画像データを記憶するデータ記憶手段、として機能させる、カード読取システムである。
【００１９】
この第４の発明によれば、情報端末の側で作成した面状画像データに、現在位置情報と現在日時情報とを対応付けた面状画像データを記憶することができる。これにより、読み取ったデータである名刺を含む各カードをいつどこで受け取ったかをデータとして情報端末に記憶しておくことができる。これにより、第２の発明と同様に、例えば、名刺に記載された名前を見ただけでは思い出せないような人物であっても、入手した場所と日時から、ユーザに名刺の人物を思い出させることを支援することができる。
【００２０】
次に本発明の第５の発明は、上記第１の発明に係るカード読取システムであって、前記通信手段を有することなく、作成した前記面状画像データを、前記通信手段を介して前記情報端末に送信することなく、前記カード読取装置に装着された着脱可能な記憶媒体に記憶する、カード読取システムである。
【００２１】
この第５の発明によれば、カード読取装置に通信手段を設ける必要がないので、カード読取装置の部品点数を削減し、構造をよりシンプルにすることができる。また、着脱可能な記憶媒体を介して、作成した面状画像データを情報端末に、容易に読み込ませることができる。
【００２２】
次に本発明の第６の発明は、上記第５の発明に係るカード読取装置と、前記情報端末にインストールされて前記情報端末に装着された前記記憶媒体からデータの読み出しが可能な読み出しプログラムと、にて構成されたカード読取システムであって、前記情報端末は、現在位置を測位する位置情報取得手段と、現在日時を計時する計時手段とを有している。そして、前記読み出しプログラムは、前記情報端末を、前記記憶媒体から前記面状画像データを取得する補正後データ取得手段、前記補正後データ取得手段にて取得した前記面状画像データに、前記位置情報取得手段にて測位した現在位置情報と、前記計時手段にて計時した現在日時情報と、を対応付けた前記面状画像データを記憶するデータ記憶手段、として機能させる、カード読取システムである。
【００２３】
この第６の発明によれば、記憶媒体に記憶されている面状画像データを情報端末で読み出して改めて記憶する際、現在位置情報と現在日時情報とを対応付けた面状画像データを記憶することができるので便利である。
【００２４】
次に本発明の第７の発明は、上記第５の発明に係るカード読取装置と、前記情報端末にインストールされて前記情報端末に装着された前記記憶媒体からデータの読み出しが可能な読み出しプログラムと、にて構成されたカード読取システムであって、前記カード読取装置における前記スキャナ制御手段は、前記一時面状画像データの作成も前記面状画像データの作成も行うことなく、前記挿入速度が対応付けられている前記細長状画像データを、前記記憶媒体に記憶する。そして、前記読み出しプログラムは、前記情報端末を、前記記憶媒体から前記挿入速度が対応付けられている前記細長状画像データを取得する補正前データ取得手段、前記補正前データ取得手段にて取得した前記細長状画像データを順番に並べて前記カードに対応する前記一時面状画像データを作成し、各細長状画像データに対応付けられている挿入速度に応じて前記一時面状画像データを補正した面状画像データを作成する面状画像データ作成手段、前記面状画像データ作成手段にて作成した前記面状画像データを記憶するデータ記憶手段、として機能させる、カード読取システムである。
【００２５】
この第７の発明によれば、細長状画像データから面状画像データを作成するプログラムを、カード読取装置ではなく情報端末に持たせる。これにより、カード読取装置のプログラムを、よりシンプルにしてカード読取装置の処理負荷を軽減し、カード読取装置の消費電力を低減することができる。従って、カード読取装置のより小型化に寄与することができる。
【００２６】
次に本発明の第８の発明は、上記第７の発明に係るカード読取システムであって、前記情報端末は、現在位置を測位する位置情報取得手段と、現在日時を計時する計時手段とを有している。そして、前記読み出しプログラムは、前記情報端末を、前記データ記憶手段として機能させる際、前記面状画像データ作成手段にて作成した前記面状画像データに、前記位置情報取得手段にて測位した現在位置情報と、前記計時手段にて計時した現在日時情報と、を対応付けた前記面状画像データを記憶するデータ記憶手段、として機能させる、カード読取システムである。
【００２７】
この第８の発明によれば、面状画像データを情報端末で作成して記憶する際、現在位置情報と現在日時情報とを対応付けた面状画像データを記憶することができるので便利である。
【００２８】
次に、本発明の第９の発明は、上記第１〜第８の発明のいずれか１つに係るカード読取システムであって、前記スキャナ制御手段は、前記挿入速度検出手段にて検出した挿入速度が速度無しの状態から速度有りの状態となった場合あるいは前記スキャナヘッドが前記カードを認識していない状態から認識した状態となった場合、の少なくとも一方にて、前記スキャナヘッドによる前記細長状画像データの作成を開始し、前記挿入速度検出手段にて検出した挿入速度が速度有りの状態から速度無しの状態となった場合、あるいは前記ケースの底に設けられた接触検出手段にて前記カードが接触したことを検出した場合、あるいは前記接触検出手段にて前記カードの接触時の衝撃が所定の閾値以上であることを検出した場合、あるいは前記接触検出手段にて前記カードの接触時の加速度が所定閾値以上であることを検出した場合、の少なくとも１つにて、前記スキャナヘッドによる前記細長状画像データの作成を終了する、カード読取システムである。
【００２９】
この第９の発明によれば、カードの挿入が開始されて細長状画像データの連続作成を開始するべきタイミングと、カードの挿入が終わって細長状画像データの作成を終了するべきタイミングとを、適切に検知することができる。
【００３０】
次に、本発明の第１０の発明は、上記第１〜第８の発明のいずれか１つに係るカード読取システムであって、前記挿入速度検出手段は、挿入されたカードに接触してカードの挿入方向に沿って回転するローラを有しており、前記スキャナ制御手段は、前記挿入速度検出手段にて検出した挿入速度が速度無しの状態から速度有りの状態となった場合あるいは前記スキャナヘッドが前記カードを認識していない状態から認識した状態となった場合、の少なくとも一方にて、前記スキャナヘッドによる前記細長状画像データの作成を開始し、前記ローラの回転量が所定量となった時点で、前記スキャナヘッドによる前記細長状画像データの作成を終了する、カード読取システムである。
【００３１】
この第１０の発明によれば、前記ローラが挿入速度を検出する手段とカードの挿入深さを検出する手段とを兼用することができるので、部品点数を削減することができる。
【００３２】
次に、本発明の第１１の発明は、上記第１〜第１０の発明のいずれか１つに係るカード読取システムであって、前記カード読取装置が、前記挿入スリットから挿入された前記カードをさらに挿入方向に移動させるあるいは挿入方向とは逆方向となる排出方向に移動させることが可能な、前記ケースの表面に外周面の少なくとも一部が露出した補助ローラを備えている、カード読取システムである。
【００３３】
この第１１の発明によれば、ユーザが指で前記補助ローラを回転させることにより、例えばカードが途中で引っかかった場合等において、前記カードの挿入、排出を行うことができる。
【００３４】
次に、本発明の第１２の発明は上記第１〜第１１の発明のいずれか１つに係るカード読取システムであって、前記カード読取装置の前記挿入スリットのいずれかの位置には、挿入終了位置まで挿入されたカードにおける挿入方向とは反対側の縁部が前記挿入スリットから露出するように切欠きが設けられている、カード読取システムである。
【００３５】
この第１２の発明によれば、ユーザは、カードを挿入した後、切り欠きから露出したカードの縁部を指でつまんで当該カードを挿入スリットから取り出すことができるので便利である。
【００３６】
次に、本発明の第１３の発明は、上記第１〜第１２の発明のいずれか１つに係るカード読取システムであって、前記カード読取装置における前記ケースのサイズは、既存の名刺ホルダ内に収容可能なサイズに形成されている、カード読取システムである。
【００３７】
この第１３の発明によれば、既存の名刺ホルダ内に第１〜第１２の発明にかかる作用効果を有するカード読取装置を収容することができるので、カード読取装置を携帯して持ち運ぶ際に便利であり、読み取った後の名刺をそのまま名刺ホルダ内に収容しておけばよいので、非常に便利である。
【図面の簡単な説明】
【００３８】
【図１】カード読取装置と、情報端末（スマートフォン等）にインストールされた通信プログラムと、にて構成されたカード読取システムの第１の実施の形態の外観の例を説明する図である。
【図２】図１におけるＩＩ−ＩＩ断面図であり、挿入速度検出手段、スキャナヘッド、スキャナ制御手段等の配置を示す図である。
【図３】データを無線で情報端末に転送する場合のカード読取装置の構成と、情報端末の構成を説明する図である。
【図４】データを有線で情報端末に転送する場合のカード読取装置の構成と、情報端末の構成を説明する図である。
【図５】データを着脱可能な記憶媒体で情報端末に転送する場合のカード読取装置の構成と、情報端末の構成を説明する図である。
【図６】第１〜第２０の実施の形態のそれぞれの構成の相違点を説明する一覧表である。
【図７】第１の実施の形態における、カード読取装置の処理と、情報端末の処理と、を説明するフローチャートである。
【図８】本発明の細長状画像データの画像取得範囲の例を示す図である。
【図９】一時面状画像データの例を示す図である。
【図１０】補正後の面状画像データの例を示す図である。
【図１１】現在位置情報と現在日時情報を対応付けた面状画像データを、情報端末で表示した例を示す図である。
【図１２】第３の実施の形態における、カード読取装置の処理と、情報端末の処理と、を説明するフローチャートである。
【図１３】第９の実施の形態における、カード読取装置の処理と、情報端末の処理と、を説明するフローチャートである。
【図１４】第１１の実施の形態における、カード読取装置の処理と、情報端末の処理と、を説明するフローチャートである。
【図１５】第１７の実施の形態における、カード読取装置の処理と、情報端末の処理と、を説明するフローチャートである。
【図１６】第１９の実施の形態における、カード読取装置の処理と、情報端末の処理と、を説明するフローチャートである。
【図１７】既存の名刺ホルダ内に収容可能なサイズに形成したカード読取装置（カード読取システム）の例を示す図である。
【図１８】挿入スリットの一部に切り欠きを設けたカード読取装置の例を示す図である。
【発明を実施するための形態】
【００３９】
以下に本発明を実施するための形態を図面を用いて説明する。
●[カード読取システム１の外観と全体構成（図１、図２）]
図１を用いて、カード読取システムの外観について、第１の実施の形態のカード読取システム１を例として説明する。第１の実施の形態におけるカード読取システム１は、略直方体の形状を有するカード読取装置１Ａと、情報端末２０にインストールされた通信プログラムと、にて構成されている。そしてカード読取装置１Ａは、ケース１０、蓋部１１、正面扉部１２等を有している。
【００４０】
ケース１０は、正面（正面扉部１２が覆う面）が開口した略直方体の箱状であり、上部には名刺を含むカード２１を挿入するための挿入スリット１３が形成されている。また、ケース１０には、起動手段１４、通信路確立手段１５、通信路確立状態表示手段１７、電源挿入口１８、接触検出手段１９、補助ローラ３３等が設けられている。
【００４１】
挿入スリット１３は、読取対象であるカード２１を挿入するための開口部であり、ケース１０の内部空間Ｋ１と連通する細長貫通孔である。読取対象であるカード２１は、ユーザによって、挿入スリット１３から押し込まれる。
【００４２】
起動手段１４は、例えば電源スイッチであり、カード読取装置１Ａが動作停止状態である場合にユーザから操作されるとカード読取装置１Ａを起動し、カード読取装置１Ａが起動状態である場合にユーザから操作されるとカード読取装置１Ａの動作を停止する。
【００４３】
通信路確立手段１５は、読み取ったデータを無線にて情報端末に転送する構成の場合において、情報端末との無線通信（例えば、Ｂｌｕｅｔｏｏｔｈ（登録商標）やＷｉ−Ｆｉ（登録商標））の通信路の確立動作を開始する際にユーザによって操作されるスイッチである。例えばＢｌｕｅｔｏｏｔｈ（登録商標）で無線通信を行う場合では、通信路確立手段１５がユーザによって操作されると、情報端末２０との間で通信路の確立動作（例えばＢｌｕｅｔｏｏｔｈ（登録商標）の場合ではペアリング動作等）が行われる。
【００４４】
通信路確立状態表示手段１７は、例えばＬＥＤ等のランプであり、例えば、通信路確立手段１５が操作されていない場合は消灯し、通信路確立手段１５が操作されて情報端末２０との通信路の確立に成功した場合は緑色に点灯し、通信路確立手段１５が操作されたが情報端末２０との通信路の確立に失敗した場合は赤色に点灯する。
【００４５】
電源挿入口１８は、カード読取装置１Ａの電源である電池２２を挿入するための開口部である。（図１および図２参照）なお近年ではスマートフォン用として携帯可能な種々の外部電源が普及しているので、これら外部電源を接続するための外部電源接続端子を備えるようにしてもよい。
【００４６】
接触検出手段１９は、ケース１０の内部空間Ｋ１の底部に設けられており、挿入スリット１３から挿入されたカード２１の接触、または接触時の衝撃や加速度（カード落下時の衝撃や加速度）等を検出し、接触検出信号を出力する。
【００４７】
情報端末２０は、スマートフォン、またはタブレット型コンピュータ、または（ノート型あるいはデスクトップ型の）パーソナルコンピュータ、の少なくとも１つを含む機器である。
【００４８】
また図１のＩＩ−ＩＩ断面図である図２に示すように、挿入スリット１３の下部には、挿入速度検出手段３２と、補助ローラ３３と、スキャナヘッド３１と、制御装置４１とが設けられている。
【００４９】
挿入速度検出手段３２は、例えばローラ状のエンコーダであり、挿入スリット１３から挿入されたカード２１を表裏を両側から挟み、ユーザがカード２１を押し込むことにより回転し、挿入スリット１３から挿入された（押し込まれた）カードの挿入速度に応じた速度検出信号を出力する。
【００５０】
補助ローラ３３は、挿入スリット１３から挿入されたカード２１をさらに挿入方向に移動させるあるいは挿入方向とは逆方向となる排出方向に移動させることが可能な、ケース１０の表面に外周面の少なくとも一部が露出し、ユーザの指で回転可能なローラである。そして、補助ローラ３３は、ユーザによる回転動力が、挿入速度検出手段３２であるローラに伝達されるように取り付けられている。例えばカードが挿入途中で引っかかった場合等において、ユーザが指で補助ローラ３３を回転させることにより、引っかかったカードを、さらに奥に挿入することや排出することを行うことができる。なお、補助ローラ３３の回転動力が、挿入されたカードに直接伝達されるように補助ローラ３３を構成することも可能である。
【００５１】
スキャナヘッド３１は、挿入スリット１３の長手方向に沿って長尺状に設けられ、カード２１の読取面に複数の読取画素３４が設けられ、挿入スリット１３に近接する下方（近傍）に設けられている。そして、スキャナヘッド３１は、挿入されたカードにおける自身（スキャナヘッド）に対向している個所に対応する細長状の画像データである細長状画像データを次々と作成して出力可能である。また、スキャナヘッド３１はカード２１の裏表の両面に対向して設けられていてもよいし、片面のみに対向して設けられていてもよい。また、図示を省略しているがカード２１の表面または裏面を照らす照明を備えていてもよい。
【００５２】
制御装置４１は、スキャナヘッド３１を含むカード読取装置１Ａの制御を行う制御回路である。そして、制御装置４１はケース１０のどの場所に設けられていてもよいが、本実施の形態ではスキャナヘッド３１の下部に設けられた例を示している。なお、制御装置４１の詳細については以下に説明する。
【００５３】
本発明のカード読取装置はカードを読み取ったデータを情報端末２０に転送するデータ転送方法において、以下の３通りのデータ転送方法が有り、それぞれにて構成が異なる。
（Ａ）データを無線で情報端末に転送
（Ｂ）データを有線で情報端末に転送
（Ｃ）データを着脱可能な記憶媒体で情報端末に転送
以下、上記（Ａ）〜（Ｃ）のそれぞれの構成について順に説明する。
【００５４】
●［（Ａ）データを無線で情報端末に転送するカード読取装置１Ａのブロック構成と、対応する情報端末２０のブロック構成（図３）］
まず、カード読取装置１Ａのブロック構成について説明する。図３に示すように、カード読取装置１Ａには、起動手段１４と、通信路確立手段１５と、通信路確立状態表示手段１７と、スキャナヘッド３１と、挿入速度検出手段３２と、接触検出手段１９と、制御装置４１等が設けられている。そして制御装置４１は、ＣＰＵ４２（スキャナ制御手段に相当）と、通信手段４３と、ＲＡＭ４４と、ＲＯＭ４５等を有している。
【００５５】
起動手段１４、通信路確立手段１５は、ユーザの操作に応じた信号をＣＰＵ４２に出力する。通信路確立状態表示手段１７はＣＰＵ４２からの制御信号に応じて点灯または消灯する。
【００５６】
接触検出手段１９は、挿入したカード２１がケース１０の底部に達したか否かを検出し、接触検出信号をＣＰＵ４２に出力する。
【００５７】
スキャナヘッド３１は、ＣＰＵ４２からのスキャン開始信号に応じてスキャンを開始し、作成した細長状画像データをＣＰＵ４２に出力する。
【００５８】
挿入速度検出手段３２は、挿入されたカードの挿入速度に応じた速度検出信号をＣＰＵ４２に出力する。
【００５９】
通信手段４３は、例えばＢｌｕｅｔｏｏｔｈ（登録商標）の回路や、Ｗｉ−Ｆｉ（登録商標）の回路であり、情報端末２０と無線にて送受信するための手段である。そして通信手段４３は、情報端末２０から受信した情報をＣＰＵ４２に受け渡し、ＣＰＵ４２からの情報や画像データ等を情報端末２０に送信する。
【００６０】
ＲＡＭ４４は、ＣＰＵ４２の作業領域として使用される一時記憶装置である。ＲＯＭ４５は、例えば、ＣＰＵ４２の制御プログラムの保存先として使用される記憶装置である。
【００６１】
ＣＰＵ４２には、上述した各種の信号やデータ等が入出力され、ＲＯＭ４５に記憶されている制御プログラムに基づいた処理を実行する。なお、（カード読取装置１Ａの）ＣＰＵ４２の処理手順については後述する。
【００６２】
次に情報端末２０のブロック構成について説明する。図３に示すように、情報端末２０には、ＣＰＵ５２（情報端末制御手段に相当）と、通信手段５３と、位置情報取得手段５７と、計時手段５８と、表示画面５６と、ＲＡＭ５４と、ＲＯＭ５５等が設けられている。
【００６３】
通信手段５３は、例えばＢｌｕｅｔｏｏｔｈ（登録商標）の回路や、Ｗｉ−Ｆｉ（登録商標）の回路であり、カード読取装置１Ａと無線にて送受信するための手段である。そして通信手段５３は、カード読取装置１Ａから受信した情報や画像データ等をＣＰＵ５２に受け渡し、ＣＰＵ５２からの情報をカード読取装置１Ａに送信する。
【００６４】
位置情報取得手段５７は、いわゆるＧＰＳ（Ｇｌｏｂａｌ  Ｐｏｓｉｔｉｏｎｉｎｇ  Ｓｙｓｔｅｍ）の回路であり、地球上における情報端末２０の現在の位置を測位した現在位置情報を人工衛星から取得し、取得した現在位置情報をＣＰＵ５２に出力する。計時手段５８は、例えば時計回路であり、現在の日時（年、月、日、時、分等）を計時して、計時した現在日時情報をＣＰＵ５２に出力する。
【００６５】
表示画面５６は、情報端末２０の液晶画面であり、ＣＰＵ５２により制御される。ＲＡＭ５４は、ＣＰＵ５２の作業領域として使用される一時記憶装置である。ＲＯＭ５５は、例えば、ＣＰＵ５２の制御プログラムの保存先として使用される記憶装置である。
【００６６】
ＣＰＵ５２には、上述した各種の信号やデータ等が入出力され、ＲＯＭ５５に記憶されている制御プログラムに基づいた処理を実行する。なお、（情報端末２０の）ＣＰＵ５２の処理手順については後述する。
【００６７】
●［（Ｂ）データを有線で情報端末に転送するカード読取装置１Ｂのブロック構成と、対応する情報端末２０Ｂのブロック構成（図４）］
図４に示すカード読取装置１Ｂ及び情報端末２０Ｂの構成は、図３のカード読取装置１Ａおよび情報端末２０の構成に対して、データが無線通信で転送されるのではなく、ＵＳＢケーブルＵ１等の有線通信で転送される点が異なっている。従って、図３のカード読取装置１Ａの（無線用の）通信手段４３及びアンテナが、図４に示す構成では、有線用の通信手段４３Ｂ及びコネクタＣ２Ａに変更されている。また、図３の情報端末２０の（無線用の）通信手段５３及びアンテナが、図４に示す構成では、有線用の通信手段５３Ｂ及びコネクタＣ２Ｂに変更されている。そしてコネクタＣ２ＡとコネクタＣ２ＢとがＵＳＢケーブルＵ１等の有線にて接続されている。なお、その他の構成については図３の構成と同等であるので説明を省略する。
【００６８】
●［（Ｃ）データを着脱可能な記憶媒体で情報端末に転送するカード読取装置１Ｃのブロック構成と、対応する情報端末２０Ｃのブロック構成（図５）］
図５に示すカード読取装置１Ｃ及び情報端末２０Ｃの構成は、図３のカード読取装置１Ａおよび情報端末２０の構成に対して、データが無線通信で転送されるのではなく、着脱可能な記憶媒体の着脱によって転送される点が異なっている。従って、図３のカード読取装置１Ａの（無線用の）通信手段４３及びアンテナが省略され、着脱可能な記憶媒体４６（例えばマイクロＳＤカード）及び当該記憶媒体４６を着脱可能に収容するソケット４９が追加されている。また、図３の情報端末２０の（無線用の）通信手段５３およびアンテナが省略され、記憶媒体４６を着脱可能に収容するソケット５９が追加されている。また、通信路確立手段１５と通信路確立状態表示手段１７は省略されていてもよい。なお、その他の構成については図３の構成と同等であるので説明を省略する。
【００６９】
●［本発明のカード読取システムの第１〜第２０の実施の形態の構成一覧（図６）］
図６の構成一覧表に示すように、本発明のカード読取システムは、データ転送タイミング、データ転送方法（通信方法）、面状画像データを作成する機器、カード読取システムの構成、現在位置情報と現在日時情報の付加の有無、の相違により、第１〜第２０の実施の形態がある。以下、第１〜第２０の実施の形態について順に説明する。なお、第２の実施の形態以降は、比較対象とする実施の形態と、当該比較対象の実施の形態からの相違点について主に説明する。なお、図２の例に示すカード読取装置の内部の構成は、第１〜第２０の実施の形態のすべてにおいて同じである。
【００７０】
●●［第１の実施の形態（図７〜図１１）］
第１の実施の形態のカード読取システムは、図６の構成一覧に示すように、データ転送タイミングが「逐次」、データ転送方法が「無線」、面状画像データを作成する機器が「カード読取装置」、カード読取システムの構成が「カード読取装置＋情報端末の通信プログラム」、現在位置情報と現在日時情報の付加の有無が「有」、という構成である。カード読取システムの構成が「カード読取装置＋情報端末の通信プログラム」であるので、外観は図１の例に示すとおりである。また、データ転送方法が「無線」であるので、カード読取装置の構成と情報端末の構成は、図３の例に示すとおりである。そして、この第１の実施の形態の構成を実現するカード読取装置の処理手順と、情報端末の処理手順と、を図７に示すフローチャートを用いて、以下に説明する。なお図７に示すフローチャートには、カード読取装置１Ａ（カード読取システム１を構成する一方の側）のＣＰＵ４２の処理手順（ステップＳ１０〜Ｓ９０）と、情報端末２０（カード読取システム１を構成する他方の側）のＣＰＵ５２の処理手順（ステップＴ１０〜Ｔ９５）と、の双方が示されている。そして、カード読取装置１Ａには［カード読取装置の処理］（ステップＳ１０〜Ｓ９０）を実行するプログラムがインストールされており、情報端末２０には［情報端末の処理］（ステップＴ１０〜Ｔ９５）を実行する通信プログラムがインストールされている。
【００７１】
ユーザは、入手したカードの読取を所望した際、カード読取装置１Ａの起動手段１４を操作してカード読取装置１Ａを起動して通信路確立手段１５を操作する。またユーザは、情報端末２０を操作して、インストールされている通信プログラムを起動し、通信路を開設する操作を行う。以下、通信が無線通信のＢｌｕｅｔｏｏｔｈ（登録商標）で行われる場合の例を説明する。
【００７２】
カード読取装置１ＡのＣＰＵ４２（スキャナ制御手段に相当）は、起動手段１４と通信路確立手段１５が操作されると、図７中に示す［カード読取装置の処理］を開始し、ステップＳ１０、Ｓ１５、Ｓ９０の処理を実行して通信路開設処理を実行する。なお、ステップＳ１０、Ｓ１５、Ｓ９０の処理は、Ｂｌｕｅｔｏｏｔｈ（登録商標）による通信の場合、既存のペアリング処理であるので、詳細な動作や説明は省略する。ＣＰＵ４２は、通信路が確立した場合、ステップＳ２０に進む。そしてステップＳ２０にてＣＰＵ４２は、通信路確立状態表示手段１７（通信路確立ランプ）を（例えば緑色に）点灯してステップＳ２５に進む。
【００７３】
ステップＳ２５において、ＣＰＵ４２は、カード２１の挿入開始を検出した場合（Ｙｅｓ）ステップＳ３０に進み、カード２１の挿入開始を検出していない場合（Ｎｏ）はステップ２５に戻り待機する。なお、ＣＰＵ４２によるカード２１の挿入開始の検出は、挿入速度検出手段３２にて検出した挿入速度が速度無しの状態から速度有りの状態となった場合、あるいはスキャナヘッド３１がカード２１を認識していない状態から認識した状態となった場合、の少なくとも一方にて、検出する。
【００７４】
ステップＳ３０において、ＣＰＵ４２は、スキャナヘッド３１にスキャン開始信号を出力し、スキャナヘッド３１から細長状画像データを取得する。次にステップＳ３５において、ＣＰＵ４２は挿入速度検出手段３２からの速度検出信号に基づいてステップＳ３０にて細長状画像データを作成した際におけるカード２１の挿入速度を検出する。
【００７５】
次にステップＳ４０において、ＣＰＵ４２はステップＳ３０にて作成した細長状画像データに、ステップＳ３５にて検出したカード挿入速度を対応付けた細長状画像データをＲＡＭ４４またはＲＯＭ４５（ＦｌａｓｈＲＯＭの場合等）に記憶する。
【００７６】
次に、ステップＳ４５において、ＣＰＵ４２は所定時間が経過していない場合（Ｎｏ）はまたステップＳ４５に戻り、所定時間が経過している場合（Ｙｅｓ）は、ステップＳ５０へ進む。これは、細長状画像データのサンプリング間隔を一定間隔に調整するため、所定時間が経過するまでステップＳ４５にて待機するために設けられている。
【００７７】
次に、ステップＳ５０にて、ＣＰＵ４２はカード２１の挿入が完了していないと判断した場合（Ｎｏ）はステップＳ３０に戻って、次の細長状画像データ（挿入速度の対応付け有）を作成することを繰り返す。また、ＣＰＵ４２は、カード２１の挿入が終了したと判断した場合（Ｙｅｓ）にはステップＳ５５に進む。なお、ＣＰＵ４２によるカード挿入の完了（終了）の検出は、挿入速度検出手段３２にて検出した挿入速度が速度有りの状態から速度無しの状態となった場合、あるいはケース１０の底に設けられた接触検出手段１９にて前記カードが接触したことを検出した場合、あるいはカード２１の接触時の衝撃が所定の閾値以上であることを検出した場合、あるいは前記カード２１の接触時の加速度が所定閾値以上であることを検出した場合、あるいは挿入速度検出手段３２に設けられているローラの回転量が所定量となった場合、の少なくとも１つにて、検出される。
【００７８】
ここで図８を用いて、カード２１を読み取った細長状画像データの例について説明する。ＣＰＵ４２は、ステップＳ５０でカード挿入終了を検知するまで、ステップＳ３０〜ステップＳ５０を繰り返し、細長状画像データ（Ｄ１〜Ｄ９）を次々に作成する。図８において細長状画像データＤ１は、１回目のステップＳ３０〜ステップＳ５０にて取得したデータの例を示し、細長状画像データＤ９は、９回目のステップＳ３０〜ステップＳ５０にて取得したデータの例を示している。なお、細長状画像データＤ１〜Ｄ９のそれぞれには、挿入速度が対応付けて記憶されている。また、図８の例において細長状画像データＤ１〜Ｄ５は挿入速度が比較的高速の場合に読み取った位置の例を示し、例えば細長状画像データＤ１と細長状画像データＤ２との間隔ＬＤ１２（ステップＳ４５の所定時間による間隔）は、比較的長い。また、細長状画像データＤ６〜Ｄ９は挿入速度が比較的低速の場合に読み取った位置の例を示し、例えば細長状画像データＤ８と細長状画像データＤ９との間隔ＬＤ８９（ステップＳ４５の所定時間による間隔）は、比較的短い。
【００７９】
次にステップＳ５５にて、ＣＰＵ４２はカード２１の挿入速度が対応付けられた細長状画像データを（隣り合う細長状画像データを隙間なく）順番に並べて一時面状画像データを作成する（図９参照）。なお、一時面状画像データの例については後述する。
【００８０】
次にステップＳ６０にて、ＣＰＵ４２は一時面状画像データを形成している各細長状画像データに対応付けられている挿入速度に応じて一時面状画像データを補正した面状画像データを作成する。具体的には、一時面状画像データは図９の例に示されるように画像データに歪み（本来、重なるべきところが重なっていない、という歪み）がある。そこで細長状画像データ取得時の挿入速度に応じた画像データの歪みを図１０に示すように各細長状画像データに対応付けられた挿入速度が高速の場合は重なる面（オーバーラップ量）を狭く（Ｌ１２、Ｌ２３）する。また、各細長状画像データに対応付けられた挿入速度が低速の場合は重なる面を大きく（Ｌ７８、Ｌ８９）する（挿入速度に基づいてオーバーラップ量を変更する）。このようにＣＰＵ４２は、一時面状画像データ（図９参照）の歪みを補正した面状画像データ（図１０参照）を作成する。
【００８１】
次にステップＳ６５にて、ＣＰＵ４２は、作成した面状画像データを、通信手段４３を介して情報端末２０に送信してステップＳ２５に戻る。ＣＰＵ４２は、ステップＳ１０において確立した通信路に乗せて、通信手段４３を介して、情報端末２０に面状画像データを送信する。なお、送信後に制御装置４１に残っている面状画像データはＣＰＵ４２が消去してもよいし、残しておいてもよい。以上、ステップＳ１０〜ステップＳ９０の処理が、図３におけるカード読取装置１ＡのＣＰＵ４２による処理である。
【００８２】
次に、図３における情報端末２０のＣＰＵ５２の処理について説明する。情報端末２０のＣＰＵ５２は、通信プログラムが起動されると、図７中に示す［情報端末の処理］を開始し、ステップＴ１０、Ｔ１５、Ｔ９０の処理を実行して通信路開設処理を実行する。なお、ステップＴ１０、Ｔ１５、Ｔ９０の処理は、Ｂｌｕｅｔｏｏｔｈ（登録商標）による通信の場合、既存のペアリング処理であるので、詳細な動作や説明は省略する。ＣＰＵ５２は、通信路が確立した場合、ステップＴ２０に進む。そしてステップＴ２０にてＣＰＵ５２は、通信路が確立したことを表示してステップＴ６５に進む。
【００８３】
ステップＴ６５にて、情報端末２０のＣＰＵ５２は、カード読取装置１Ａから（補正された）面状画像データを受信し、ステップＴ７０に進む。
【００８４】
ステップＴ７０にてＣＰＵ５２は、データ受信が完了したか否かを判定し、データ受信が完了した場合（Ｙｅｓ）はステップＴ９５に進み、データ受信が完了していない場合（Ｎｏ）はステップＴ６５に戻り、データの受信を続ける。
【００８５】
ステップＴ９５に進んだ場合、ＣＰＵ５２は、（受信した）面状画像データに、情報端末２０の位置情報取得手段５７を用いて取得した現在位置情報と、計時手段５８を用いて取得した現在日時情報と、を対応付けた面状画像データを、ＲＡＭ５４またはＲＯＭ５５（ＦｌａｓｈＲＯＭ等）に記憶し、ステップＴ６５に戻る。
【００８６】
なお、ステップＴ６５は、情報端末２０を、カード読取装置１Ａから面状画像データを受信する補正後データ受信手段として機能させる通信プログラムに相当する。
【００８７】
また、ステップＴ９５は、情報端末２０を、補正後データ受信手段にて受信した面状画像データに、位置情報取得手段にて測位した現在位置情報と、計時手段にて計時した現在日時情報とを対応付けた面状画像データを記憶するデータ記憶手段として機能させる通信プログラムに相当する。以上、ステップＴ１０〜ステップＴ９５の処理が、図３における情報端末２０のＣＰＵ５２による処理である。
【００８８】
●［ステップＳ３０にて作成される細長状画像データの画像取得範囲の例（図８）］
次に、図８を参照して、カード２１の挿入速度の違いによる細長状画像データの位置（挿入方向における位置）の変化を説明する。前述したように、図８において点線で表された細長状画像データＤ１からＤ５は、カード２１が比較的高速で挿入スリット１３に挿入された際にスキャナヘッド３１で取得された各細長状画像データの範囲の例を示す。また、点線で表された細長状画像データＤ６からＤ９は、カード２１が比較的低速で挿入スリット１３に挿入された際にスキャナヘッド３１で取得された各細長状画像データの範囲の例を示す。なお、図８において、各細長状画像データがＹ軸方向に少しずつずれているのは、説明のために各細長状画像データの範囲を明確にするためにあえてずらして記載しているのであって、実際には各細長状画像データはＹ軸方向にはずれていない（図９、図１０も同様）。
【００８９】
●［ステップＳ５５にて作成された一時面状画像データの例（図９）］
次に、図９を参照して、図８に示す細長状画像データから作成された一時面状画像データであって、カード挿入速度による補正を行う前の一時面状画像データについて説明する。前述したように、作成された細長状画像データを（隙間なく隣接するように）順番に並べただけでは、図９の例に示すように、整わない（挿入方向（Ｚ軸方向）において重なるべき部分が重なっていない、歪んだ）面状画像データとなってしまう。この補正前の状態の面状画像データを一時面状画像データと呼ぶこととする。なお、図９中における細長状画像データＤ１〜Ｄ９のそれぞれは、図８中における細長状画像データＤ１〜Ｄ９に対応している。
【００９０】
●［ステップＳ６０にて作成された補正後の面状画像データの例（図１０）］
次に、図１０を参照して、図９に示す一時面状画像データを補正して、図１０に示す面状画像データを作成する方法について説明する。図８に示すように、読み取り時において、各細長状画像データＤ１〜Ｄ９は隣接する細長状画像データとオーバーラップする部分を有している。ＣＰＵ４２は、各細長状画像データに対応付けて記憶されたカード挿入速度に応じて各細長状画像データに対応するオーバーラップ量を決定する。そしてＣＰＵ４２は、決定した各オーバーラップ量に基づいて、隣接する細長状画像データを重ねて歪みのない面状画像データ（図１０参照）を作成する。なお、図１０に示すように、挿入速度が高速であれば、Ｌ１２、Ｌ２３のようにオーバーラップ量が小さくなり、挿入速度が低速であれば、Ｌ７８、Ｌ８９のようにオーバーラップ量が大きくなる。
【００９１】
●［情報端末での表示例（図１１）］
次に、図１１を参照して、ユーザが、情報端末２０を操作して、情報端末２０の表示画面５６に、面状画像データ（現在位置情報と現在日時情報を対応付けた面状画像データ）を表示した表示例について説明する。図１１の例では、位置情報Ｇ１１と日時情報Ｇ１２が追加された面状画像データＧ１３が、面状画像データ表示部Ｇ１０に表示されている。また、地図表示部Ｇ２０には、位置情報Ｇ１１に基づいた位置の周囲の地図が表示された例を示している。
【００９２】
第１〜第２０の実施の形態のカード読取装置は、スキャナヘッド３１を移動させてカードを読み取るのではなく、スキャナヘッド３１に対してカード２１を移動させてカードを読み取る。さらに、モータを用いてカードを移動させるのではなく、ユーザがカードを挿入スリット１３から押し込んで移動させる。これにより、従来のスキャナ（カード読取装置）では必要であったスキャナヘッドの移動空間やモータ等が不要となるので、小型で携帯可能なカード読取システムを実現することができる。なお、ユーザによるカード２１の押し込み速度が、カード読み取り時の移動速度となるので、移動速度が不安定となり、読み取った画像データに歪みが発生する可能性がある。しかし、移動速度（挿入速度）を用いて補正した面状画像データを作成することで、カード２１の移動速度（挿入速度）が不安定であっても、適切に画像データの歪みを補正することができる。また、ユーザは、挿入スリット１３からカード２１を押し込むだけで良いので、入手したカード２１をその場で読み取ってデジタルデータ（面状画像データ）に変換してスマートフォン等の情報端末２０に記憶させることを、手間なく容易に行うことができる。
【００９３】
また、第１の実施の形態によれば、情報端末２０の側で、カード読取装置のＣＰＵ４２の側から受信した面状画像データに、現在位置情報と現在日時情報とを対応付けた面状画像データを記憶することができる。これにより、例えば図１１に示すように、読み取ったデータである名刺を含む各カード２１をいつどこで受け取ったかを情報端末２０に記憶しておくことができる。ユーザは、図１１の例に示す画面を見ることで、例えば、名刺に記載された名前（図１１中の面状画像データＧ１３に記載されている名前）を見ただけでは思い出せないような人物であっても、入手した場所（図１１中の位置情報Ｇ１１の位置及び地図表示部Ｇ２０の地図中の位置）と、入手した日時（図１１中の日時情報Ｇ１２の日時）から、ユーザに、名刺の人物を思い出させることを支援することができる。
【００９４】
●●［第２の実施の形態］
次に第２の実施の形態のカード読取システムについて説明する。図６の構成一覧に示すように、第２の実施の形態のカード読取システムは、第１の実施の形態のカード読取システムに対して、現在位置情報と現在日時情報の付加の有無が「有」から「無」に変更され、カード読取システムの構成が「カード読取装置＋情報端末の通信プログラム」から「カード読取装置」に変更されている点が異なり、他は第１の実施の形態と同じである。以下、この相違点について主に説明する。なお、カード読取装置の構成と情報端末の構成は、第１の実施の形態と同様であり、図３の例に示すとおりである。
【００９５】
カード読取装置のＣＰＵ４２の処理手順は、第１の実施の形態にて説明したステップＳ１０〜Ｓ９０（図７参照）と同じであるので説明を省略する。
【００９６】
情報端末２０のＣＰＵ５２の処理手順は、第１の実施の形態にて説明したステップＴ１０〜Ｔ９５（図７参照）とは異なり、情報端末２０が予め備えている既存の通信プログラム（例えば、Ｂｌｕｅｔｏｏｔｈ（登録商標）にてデータを受信する既存の通信プログラム）にてデータを受信する。既存の通信プログラムであるので、受信した面状画像データに、現在位置情報と現在日時情報を対応付けた面状画像データを記憶することなく、受信した面状画像データを、そのまま記憶することになる。従って、現在位置情報と現在日時情報の付加の有無は「無」である。従って、情報端末２０及び情報端末２０の通信プログラムは、既存のものを流用するだけでよく、カード読取システムを「カード読取装置」のみで構成することができる。
【００９７】
なお、カード読取システムの構成を「カード読取装置＋情報端末の通信プログラム」として、第１の実施の形態の情報端末の処理（図７のステップＴ１０〜Ｔ９５）を情報端末にインストールして、ステップＴ９５の処理を、（受信した）面状画像データに、現在位置情報と現在日時情報を対応付けることなく、（受信した）面状画像データを、そのまま記憶するように変更してもよい。
【００９８】
●●［第３の実施の形態（図１２）］
次に第３の実施の形態のカード読取システムについて説明する。図６の構成一覧に示すように、第３の実施の形態のカード読取システムは、第１の実施の形態のカード読取システムに対して、面状画像データを作成する機器が「カード読取装置」から「情報端末」に変更されている点が異なり、他は第１の実施の形態と同じである。以下、この相違点について主に説明する。なお、カード読取装置の構成と情報端末の構成は、第１の実施の形態と同様であり、図３の例に示すとおりである。
【００９９】
第３の実施の形態は、第１の実施の形態に対して、面状画像データを作成する機器が「カード読取装置」から「情報端末」に変更されているので、カード読取装置の処理と、情報端末の処理が、第１の実施の形態とは異なる。そこで、図１２に、第３の実施の形態におけるカード読取装置の処理と、情報端末の処理を示す。以下、図１２に示す第３の実施の形態におけるカード読取装置の処理及び情報端末の処理と、図７に示す第１の実施の形態におけるカード読取装置の処理及び情報端末の処理と、の相違点について説明する。
【０１００】
図１２に示す第３の実施の形態の［カード読取装置の処理］（ステップＳ１０〜Ｓ９０）は、図７に示す第１の実施の形態の［カード読取装置の処理］（ステップＳ１０〜Ｓ９０）に対して、ステップＳ５５（一時面状画像データの作成）、ステップＳ６０（面状画像データの作成）、ステップＳ６５（面状画像データの送信）が省略されて、ステップＳ７０が追加されている点が異なり、他は第１の実施の形態と同じである。
【０１０１】
ステップＳ５０にてカード挿入が終了した（Ｙｅｓ）と判定したカード読取装置のＣＰＵ４２は、ステップＳ７０に進み、ステップＳ７０にてＣＰＵ４２は、細長状画像データ（挿入速度が対応付けられた細長状画像データ）を、通信手段４３を介して、情報端末２０に送信する。
【０１０２】
図１２に示す第３の実施の形態の［情報端末の処理］（ステップＴ１０〜Ｔ９５）は、図７に示す第１の実施の形態の［情報端末の処理］（ステップＴ１０〜Ｔ９５）に対して、ステップＴ８０（一時面状画像データの作成）、ステップＴ８５（面状画像データの作成）が追加されている点が異なり、他は第１の実施の形態と同じである。
【０１０３】
ステップＴ６５にて情報端末のＣＰＵ５２は、カード読取装置から細長状画像データを受信し、ステップＴ７０に進む。
【０１０４】
ステップＴ７０にてＣＰＵ５２は、データ受信が完了したか否かを判定し、データ受信が完了した場合（Ｙｅｓ）はステップＴ８０に進み、データ受信が完了していない場合（Ｎｏ）はステップＴ６５に戻る。
【０１０５】
ステップＴ８０にてＣＰＵ５２は、カード２１の挿入速度が対応付けられた細長状画像データを（隣り合う細長状画像データを隙間なく）順番に並べて一時面状画像データを作成してステップＴ８５に進む。なお、一時面状画像データの作成方法は、第１の実施の形態において説明した方法のとおりであり、作成した一時面状画像データは、図９に示すとおりである。
【０１０６】
ステップＴ８５にてＣＰＵ５２は、一時面状画像データを形成している各細長状画像データに対応付けられている挿入速度に応じて一時面状画像データを補正した面状画像データを作成し、ステップＴ９５に進む。なお、面状画像データの作成方法は、第１の実施の形態において説明した方法のとおりであり、作成した面状画像データは、図１０に示すとおりである。
【０１０７】
ステップＴ９５に進んだ場合、ＣＰＵ５２は、第１の実施の形態の場合と同様、（作成した）面状画像データに、情報端末２０の位置情報取得手段５７を用いて取得した現在位置情報と、計時手段５８を用いて取得した現在日時情報と、を対応付けた面状画像データを、ＲＡＭ５４またはＲＯＭ５５（ＦｌａｓｈＲＯＭ等）に記憶し、ステップＴ６５に戻る。
【０１０８】
なお、ステップＴ６５の処理が、情報端末を、カード読取装置から挿入速度が対応付けられている細長状画像データを受信する補正前データ受信手段として機能させる通信プログラムに相当する。
【０１０９】
また、ステップＴ８０、Ｔ８５の処理が、情報端末を、補正前データ受信手段にて受信した細長状画像データを順番に並べてカードに対応する一時面状画像データを作成し、各細長状画像データに対応付けられている挿入速度に応じて一時面状画像データを補正した面状画像データを作成する面状画像データ作成手段として機能させる通信プログラムに相当する。
【０１１０】
また、ステップＴ９５の処理が、情報端末を、面状画像データ作成手段にて作成した面状画像データを記憶するデータ記憶手段として機能させる通信プログラムに相当する。また、データ記憶手段として機能させる際、面状画像データ作成手段にて作成した面状画像データに、位置情報取得手段にて測位した現在位置情報と、計時手段にて計時した現在日時情報と、を対応付けた面状画像データを記憶するデータ記憶手段として機能させる通信プログラムに相当する。
【０１１１】
第３の実施の形態は、第１の実施の形態に対して、カード読取装置に搭載するプログラムを、よりシンプルにしてカード読取装置の処理負荷を軽減し、カード読取装置の消費電力を低減することができる。従って、カード読取装置のより小型化に寄与することができる。
【０１１２】
●●［第４の実施の形態］
次に第４の実施の形態のカード読取システムについて説明する。図６の構成一覧に示すように、第４の実施の形態のカード読取システムは、第３の実施の形態のカード読取システムに対して、現在位置情報と現在日時情報の付加の有無が「有」から「無」に変更されている点が異なり、他は第３の実施の形態と同じである。以下、この相違点について主に説明する。なお、カード読取装置の構成と情報端末の構成は、第３の実施の形態と同様であり、図３の例に示すとおりである。
【０１１３】
第４の実施の形態の［カード読取装置の処理］は、図１２に示した第３の実施の形態の［カード読取装置の処理］（ステップＳ１０〜Ｓ９０）と同じであるので、説明を省略する。
【０１１４】
第４の実施の形態の［情報端末の処理］は、図１２に示した第３の実施の形態の［情報端末の処理］（ステップＴ１０〜Ｔ９５）において、ステップＴ９５の処理が、以下のように異なる。ステップＴ９５にて情報端末のＣＰＵ５２は、（作成した）面状画像データに、現在位置情報と現在日時情報を対応付けることなく、（作成した）面状画像データを、そのまま記憶する。
【０１１５】
第４の実施の形態によれば、例えば、情報端末にインストールする通信プログラムを、位置情報取得手段を有していない情報端末にも適用することができる。
【０１１６】
●●［第５の実施の形態］
次に第５の実施の形態のカード読取システムについて説明する。図６の構成一覧に示すように、第５の実施の形態のカード読取システムは、第１の実施の形態のカード読取システムに対して、データ転送方法が「無線」から「有線」に変更されている点が異なり、他は第１の実施の形態と同じである。以下、この相違点について主に説明する。なお、カード読取装置の構成と情報端末の構成は、データ転送方法が「有線」であるので、第１の実施の形態と異なり、図４の例に示すとおりである。
【０１１７】
第５の実施の形態の［カード読取装置の処理］は、図７に示した第１の実施の形態の［カード読取装置の処理］（ステップＳ１０〜Ｓ９０）に対して、ステップＳ１０、Ｓ１５、Ｓ９０の処理（通信路を確立（開設）するための処理）が、無線通信における既存の処理から、有線通信における既存の処理に変更される点が異なり、他は第１の実施の形態と同じである。なお、有線通信における既存の処理については説明を省略する。
【０１１８】
また、第５の実施の形態の［情報端末の処理］は、図７に示した第１の実施の形態の［情報端末の処理］（ステップＴ１０〜Ｔ９５）に対して、ステップＴ１０、Ｔ１５、Ｔ９０の処理（通信路を確立（開設）するための処理）が、無線通信における既存の処理から、有線通信における既存の処理に変更される点が異なり、他は第１の実施の形態と同じである。なお、有線通信における既存の処理については説明を省略する。
【０１１９】
第５の実施の形態によれば、第１の実施の形態に対して、より通信状態の安定している有線通信によりカード読取装置から情報端末にデータを転送できる。
【０１２０】
●●［第６の実施の形態］
次に第６の実施の形態のカード読取システムについて説明する。図６の構成一覧に示すように、第６の実施の形態のカード読取システムは、第２の実施の形態のカード読取システムに対して、データ転送方法が「無線」から「有線」に変更されている点が異なり、他は第２の実施の形態と同じである。以下、この相違点について主に説明する。なお、カード読取装置の構成と情報端末の構成は、データ転送方法が「有線」であるので、第２の実施の形態と異なり、図４の例に示すとおりである。
【０１２１】
第６の実施の形態の［カード読取装置の処理］は、第２の実施の形態の［カード読取装置の処理］に対して、図７に示すステップＳ１０、Ｓ１５、Ｓ９０に相当する処理（通信路を確立（開設）するための処理）が、無線通信における既存の処理から、有線通信における既存の処理に変更される点が異なり、他は第２の実施の形態と同じである。なお、有線通信における既存の処理については説明を省略する。
【０１２２】
また、第６の実施の形態の［情報端末の処理］は、第２の実施の形態の［情報端末の処理］に対して、図７に示すステップＴ１０、Ｔ１５、Ｔ９０に相当する処理（通信路を確立（開設）するための処理）が、無線通信における既存の処理から、有線通信における既存の処理に変更される点が異なり、他は第２の実施の形態と同じである。なお、有線通信における既存の処理については説明を省略する。
【０１２３】
第６の実施の形態によれば、第２の実施の形態に対して、より通信状態の安定している有線通信によりカード読取装置から情報端末にデータを転送できる。また、第２の実施の形態と同様、「カード読取装置」のみにてカード読取システムを構成することができる。
【０１２４】
●●［第７の実施の形態］
次に第７の実施の形態のカード読取システムについて説明する。図６の構成一覧に示すように、第７の実施の形態のカード読取システムは、第３の実施の形態のカード読取システムに対して、データ転送方法が「無線」から「有線」に変更されている点が異なり、他は第３の実施の形態と同じである。以下、この相違点について主に説明する。なお、カード読取装置の構成と情報端末の構成は、データ転送方法が「有線」であるので、第３の実施の形態と異なり、図４の例に示すとおりである。
【０１２５】
第７の実施の形態の［カード読取装置の処理］は、図１２に示す第３の実施の形態の［カード読取装置の処理］（ステップＳ１０〜ステップＳ９０）に対して、ステップＳ１０、Ｓ１５、Ｓ９０の処理（通信路を確立（開設）するための処理）が、無線通信における既存の処理から、有線通信における既存の処理に変更される点が異なり、他は第３の実施の形態と同じである。なお、有線通信における既存の処理については説明を省略する。
【０１２６】
また、第７の実施の形態の［情報端末の処理］は、図１２に示す第３の実施の形態の［情報端末の処理］（ステップＴ１０〜ステップＴ９５）に対して、ステップＴ１０、Ｔ１５、Ｔ９０の処理（通信路を確立（開設）するための処理）が、無線通信における既存の処理から、有線通信における既存の処理に変更される点が異なり、他は第３の実施の形態と同じである。なお、有線通信における既存の処理については説明を省略する。
【０１２７】
第７の実施の形態によれば、第３の実施の形態に対して、より通信状態の安定している有線通信によりカード読取装置から情報端末にデータを転送できる。
【０１２８】
●●［第８の実施の形態］
次に第８の実施の形態のカード読取システムについて説明する。図６の構成一覧に示すように、第８の実施の形態のカード読取システムは、第４の実施の形態のカード読取システムに対して、データ転送方法が「無線」から「有線」に変更されている点が異なり、他は第４の実施の形態と同じである。以下、この相違点について主に説明する。なお、カード読取装置の構成と情報端末の構成は、データ転送方法が「有線」であるので、第４の実施の形態と異なり、図４の例に示すとおりである。
【０１２９】
第８の実施の形態の［カード読取装置の処理］は、第４の実施の形態の［カード読取装置の処理］に対して、図１２に示すステップＳ１０、Ｓ１５、Ｓ９０に相当する処理（通信路を確立（開設）するための処理）が、無線通信における既存の処理から、有線通信における既存の処理に変更される点が異なり、他は第４の実施の形態と同じである。なお、有線通信における既存の処理については説明を省略する。
【０１３０】
また、第８の実施の形態の［情報端末の処理］は、第４の実施の形態の［情報端末の処理］に対して、図１２に示すステップＴ１０、Ｔ１５、Ｔ９０に相当する処理（通信路を確立（開設）するための処理）が、無線通信における既存の処理から、有線通信における既存の処理に変更される点が異なり、他は第４の実施の形態と同じである。なお、有線通信における既存の処理については説明を省略する。
【０１３１】
第８の実施の形態によれば、第４の実施の形態に対して、より通信状態の安定している有線通信によりカード読取装置から情報端末にデータを転送できる。
【０１３２】
●●［第９の実施の形態（図１３）］
次に第９の実施の形態のカード読取システムについて説明する。図６の構成一覧に示すように、第９の実施の形態のカード読取システムは、第１の実施の形態のカード読取システムに対して、データ転送タイミングが「逐次」から「一括」に変更されている点が異なり、他は第１の実施の形態と同じである。以下、この相違点について主に説明する。なお、カード読取装置の構成と情報端末の構成は、第１の実施の形態と同様であり、図３の例に示すとおりである。第１の実施の形態では、面状画像データを作成する毎に（カードを１枚読み取る毎に）データを（逐次）転送したが、第９の実施の形態では、ユーザからの転送指示があるまで、何枚もカードを読み取り、ユーザからの転送指示があった場合に、まとめてデータを（一括）転送する。
【０１３３】
第９の実施の形態は、第１の実施の形態に対して、データ転送タイミングが「逐次」から「一括」に変更されているので、カード読取装置の処理と、情報端末の処理が、第１の実施の形態とは異なる。そこで、図１３に、第９の実施の形態におけるカード読取装置の処理と、情報端末の処理を示す。以下、図１３に示す第９の実施の形態におけるカード読取装置の処理及び情報端末の処理と、図７に示す第１の実施の形態におけるカード読取装置の処理及び情報端末の処理と、の相違点について説明する。
【０１３４】
図１３に示す第９の実施の形態の［カード読取装置の処理］（ステップＳ０２〜Ｓ９０）は、図７に示す第１の実施の形態の［カード読取装置の処理］（ステップＳ１０〜Ｓ９０）に対して、ステップＳ０２、Ｓ０４、Ｓ２２Ａが追加等され、ステップＳ６５がステップＳ６５Ａに変更されている点が異なり、他は第１の実施の形態と同じである。以下、図１３に示す［カード読取装置の処理］における第１の実施の形態からの相違点を説明する。
【０１３５】
ステップＳ０２にてカード読取装置のＣＰＵ４２は、通信路確立手段がユーザからＯＮ状態に操作されているか否かを判定し、ＯＮ状態に操作されている場合（Ｙｅｓ）はステップＳ０４に進み、ＯＮ状態に操作されていない場合（Ｎｏ）はステップＳ２５に進む。
【０１３６】
ステップＳ０４に進んだ場合、ＣＰＵ４２は、記憶手段にデータ（この場合、面状画像データ）があるか否かを判定し、（まだ転送していない）データがある場合（Ｙｅｓ）はステップＳ１０に進み、（まだ転送していない）データがない場合（Ｎｏ）はステップＳ０２に戻る。
【０１３７】
ステップＳ１０、Ｓ１５、Ｓ９０の処理（通信路を確立（開設）する処理）は、第１の実施の形態と同様であるので、説明を省略する。ステップＳ１５にてＣＰＵ４２は、通信路（この場合、無線通信の通信路）が確立したと判定した場合（Ｙｅｓ）、ステップＳ２０に進む。
【０１３８】
ステップＳ２０に進んだ場合、ＣＰＵ４２は、通信路確立状態表示手段１７（通信路確立ランプ）を（例えば緑色に）点灯してステップＳ２２Ａに進む。
【０１３９】
ステップＳ２２ＡにてＣＰＵ４２は、記憶手段に記憶されている単数または複数の面状画像データを、順番に、通信手段４３を介して、情報端末に送信し、全ての面状画像データの送信が完了した後、ステップＳ０２に戻る。なおＣＰＵ４２は、送信が完了した面状画像データを、記憶手段から消去する、あるいは転送済の情報を付与する。
【０１４０】
なおステップＳ２５に進んだ場合、ステップＳ２５〜Ｓ６０の処理は、第１の実施の形態と同じであるので説明を省略する。
【０１４１】
ステップＳ６５Ａに進んだ場合、ＣＰＵ４２は、（作成した）面状画像データを記憶手段に記憶し、ステップＳ０２に戻る。
【０１４２】
図１３に示す第９の実施の形態の［情報端滅の処理］（ステップＴ１０〜Ｔ９５）は、図７に示す第１の実施の形態の［情報端末の処理］（ステップＴ１０〜Ｔ９５）と同じであるので、説明を省略する。
【０１４３】
第９の実施の形態では、カードを１枚読み取る毎にデータを転送する第１の実施の形態に対して、複数のカードを次々と読み取った後、適切なタイミングでまとめてデータを情報端末に転送できるので、カードを短時間に読み取りたい場合等にて便利である。
【０１４４】
●●［第１０の実施の形態］
次に第１０の実施の形態のカード読取システムについて説明する。図６の構成一覧に示すように、第１０の実施の形態のカード読取システムは、第９の実施の形態のカード読取システムに対して、現在位置情報と現在日時情報の付加の有無が「有」から「無」に変更され、カード読取システムの構成が「カード読取装置＋情報端末の通信プログラム」から「カード読取装置」に変更されている点が異なり、他は第９の実施の形態と同じである。以下、この相違点について主に説明する。なお、カード読取装置の構成と情報端末の構成は、第９の実施の形態と同様であり、図３の例に示すとおりである。
【０１４５】
カード読取装置のＣＰＵ４２の処理手順は、第９の実施の形態にて説明したステップＳ１０〜Ｓ９０（図１３参照）と同じであるので説明を省略する。
【０１４６】
情報端末２０のＣＰＵ５２の処理手順は、第９の実施の形態にて説明したステップＴ１０〜Ｔ９５（図１３参照）とは異なり、情報端末２０が予め備えている既存の通信プログラム（例えば、ＵＳＢケーブルを介してデータを受信する既存の通信プログラム）にてデータを受信する。既存の通信プログラムであるので、受信した面状画像データに、現在位置情報と現在日時情報を対応付けた面状画像データを記憶することなく、受信した面状画像データを、そのまま記憶することになる。従って、現在位置情報と現在日時情報の付加の有無は「無」である。従って、情報端末２０及び情報端末２０の通信プログラムは、既存のものを流用するだけでよく、カード読取システムを「カード読取装置」のみで構成することができる。
【０１４７】
なお、カード読取システムの構成を「カード読取装置＋情報端末の通信プログラム」として、第９の実施の形態の情報端末の処理（図１３のステップＴ１０〜Ｔ９５）を情報端末にインストールして、ステップＴ９５の処理を、（受信した）面状画像データに、現在位置情報と現在日時情報を対応付けることなく、（受信した）面状画像データを、そのまま記憶するように変更してもよい。
【０１４８】
●●［第１１の実施の形態（図１１）］
次に第１１の実施の形態のカード読取システムについて説明する。図６の構成一覧に示すように、第１１の実施の形態のカード読取システムは、第９の実施の形態のカード読取システムに対して、面状画像データを作成する機器が「カード読取装置」から「情報端末」に変更されている点が異なり、他は第９の実施の形態と同じである。以下、この相違点について主に説明する。なお、カード読取装置の構成と情報端末の構成は、第９の実施の形態と同様であり、図３の例に示すとおりである。
【０１４９】
第１１の実施の形態は、第９の実施の形態に対して、面状画像データを作成する機器が「カード読取装置」から「情報端末」に変更されているので、カード読取装置の処理と、情報端末の処理が、第９の実施の形態とは異なる。そこで、図１４に、第１１の実施の形態におけるカード読取装置の処理と、情報端末の処理を示す。以下、図１４に示す第１１の実施の形態におけるカード読取装置の処理及び情報端末の処理と、図１３に示す第９の実施の形態におけるカード読取装置の処理及び情報端末の処理と、の相違点について説明する。
【０１５０】
図１４に示す第１１の実施の形態の［カード読取装置の処理］（ステップＳ０２〜Ｓ９０）は、図１３に示す第９の実施の形態の［カード読取装置の処理］（ステップＳ１０〜Ｓ９０）に対して、ステップＳ５５（一時面状画像データの作成）、ステップＳ６０（面状画像データの作成）、ステップＳ６５Ａ（面状画像データの記憶）が省略されて、ステップＳ２２ＡがステップＳ２２Ｂに変更されている点が異なり、他は第９の実施の形態と同じである。
【０１５１】
ステップＳ２２Ｂではカード読取装置のＣＰＵ４２は、ステップＳ４０にて記憶手段に記憶した細長状画像データを、順番に、通信手段４３を介して、情報端末に送信し、全ての細長状画像データの送信が完了した後、ステップＳ０２に戻る。なおＣＰＵ４２は、送信が完了した細長状画像データを、記憶手段から消去する、あるいは転送済の情報を付与する。
【０１５２】
図１４に示す第１１の実施の形態の［情報端末の処理］（ステップＴ１０〜Ｔ９５）は、図１３に示す第９の実施の形態の［情報端末の処理］（ステップＴ１０〜Ｔ９５）に対して、ステップＴ８０（一時面状画像データの作成）、ステップＴ８５（面状画像データの作成）が追加されている点が異なり、他は第９の実施の形態と同じである。
【０１５３】
ステップＴ６５にて情報端末のＣＰＵ５２は、カード読取装置から細長状画像データを受信し、ステップＴ７０に進む。
【０１５４】
ステップＴ７０にてＣＰＵ５２は、データ受信が完了したか否かを判定し、データ受信が完了した場合（Ｙｅｓ）はステップＴ８０に進み、データ受信が完了していない場合（Ｎｏ）はステップＴ６５に戻る。
【０１５５】
ステップＴ８０にてＣＰＵ５２は、カード２１の挿入速度が対応付けられた細長状画像データを（隣り合う細長状画像データを隙間なく）順番に並べて一時面状画像データを作成してステップＴ８５に進む。なお、一時面状画像データの作成方法は、第１の実施の形態において説明した方法のとおりであり、作成した一時面状画像データは、図９に示すとおりである。
【０１５６】
ステップＴ８５にてＣＰＵ５２は、一時面状画像データを形成している各細長状画像データに対応付けられている挿入速度に応じて一時面状画像データを補正した面状画像データを作成し、ステップＴ９５に進む。なお、面状画像データの作成方法は、第１の実施の形態において説明した方法のとおりであり、作成した面状画像データは、図１０に示すとおりである。
【０１５７】
ステップＴ９５に進んだ場合、ＣＰＵ５２は、第９の実施の形態の場合と同様、（作成した）面状画像データに、情報端末２０の位置情報取得手段５７を用いて取得した現在位置情報と、計時手段５８を用いて取得した現在日時情報と、を対応付けた面状画像データを、ＲＡＭ５４またはＲＯＭ５５（ＦｌａｓｈＲＯＭ等）に記憶し、ステップＴ６５に戻る。
【０１５８】
なお、ステップＴ６５の処理が、情報端末を、カード読取装置から挿入速度が対応付けられている細長状画像データを受信する補正前データ受信手段として機能させる通信プログラムに相当する。
【０１５９】
また、ステップＴ８０、Ｔ８５の処理が、情報端末を、補正前データ受信手段にて受信した細長状画像データを順番に並べてカードに対応する一時面状画像データを作成し、各細長状画像データに対応付けられている挿入速度に応じて一時面状画像データを補正した面状画像データを作成する面状画像データ作成手段として機能させる通信プログラムに相当する。
【０１６０】
また、ステップＴ９５の処理が、情報端末を、面状画像データ作成手段にて作成した面状画像データを記憶するデータ記憶手段として機能させる通信プログラムに相当する。また、データ記憶手段として機能させる際、面状画像データ作成手段にて作成した面状画像データに、位置情報取得手段にて測位した現在位置情報と、計時手段にて計時した現在日時情報と、を対応付けた面状画像データを記憶するデータ記憶手段として機能させる通信プログラムに相当する。
【０１６１】
第１１の実施の形態は、第９の実施の形態に対して、カード読取装置に搭載するプログラムを、よりシンプルにしてカード読取装置の処理負荷を軽減し、カード読取装置の消費電力を低減することができる。従って、カード読取装置のより小型化に寄与することができる。
【０１６２】
●●［第１２の実施の形態］
次に第１２の実施の形態のカード読取システムについて説明する。図６の構成一覧に示すように、第１２の実施の形態のカード読取システムは、第１１実施の形態のカード読取システムに対して、現在位置情報と現在日時情報の付加の有無が「有」から「無」に変更されている点が異なり、他は第１１の実施の形態と同じである。以下、この相違点について主に説明する。なお、カード読取装置の構成と情報端末の構成は、第１１の実施の形態と同様であり、図３の例に示すとおりである。
【０１６３】
第１２の実施の形態の［カード読取装置の処理］は、図１４に示した第１１の実施の形態の［カード読取装置の処理］（ステップＳ０２〜Ｓ９０）と同じであるので、説明を省略する。
【０１６４】
第１２の実施の形態の［情報端末の処理］は、図１４に示した第１１の実施の形態の［情報端末の処理］（ステップＴ１０〜Ｔ９５）において、ステップＴ９５の処理が、以下のように異なる。ステップＴ９５にて情報端末のＣＰＵ５２は、（作成した）面状画像データに、現在位置情報と現在日時情報を対応付けることなく、（作成した）面状画像データを、そのまま記憶する。
【０１６５】
第１２の実施の形態によれば、例えば、情報端末にインストールする通信プログラムを、位置情報取得手段を有していない情報端末にも適用することができる。
【０１６６】
●●［第１３の実施の形態］
次に第１３の実施の形態のカード読取システムについて説明する。図６の構成一覧に示すように、第１３の実施の形態のカード読取システムは、第９の実施の形態のカード読取システムに対して、データ転送方法が「無線」から「有線」に変更されている点が異なり、他は第９の実施の形態と同じである。以下、この相違点について主に説明する。なお、カード読取装置の構成と情報端末の構成は、データ転送方法が「有線」であるので、第９の実施の形態と異なり、図４の例に示すとおりである。
【０１６７】
第１３の実施の形態の［カード読取装置の処理］は、図１３に示した第９の実施の形態の［カード読取装置の処理］（ステップＳ０２〜Ｓ９０）に対して、ステップＳ１０、Ｓ１５、Ｓ９０の処理（通信路を確立（開設）するための処理）が、無線通信における既存の処理から、有線通信における既存の処理に変更される点が異なり、他は第９の実施の形態と同じである。なお、有線通信における既存の処理については説明を省略する。
【０１６８】
また、第１３の実施の形態の［情報端末の処理］は、図１３に示した第９の実施の形態の［情報端末の処理］（ステップＴ１０〜Ｔ９５）に対して、ステップＴ１０、Ｔ１５、Ｔ９０の処理（通信路を確立（開設）するための処理）が、無線通信における既存の処理から、有線通信における既存の処理に変更される点が異なり、他は第９の実施の形態と同じである。なお、有線通信における既存の処理については説明を省略する。
【０１６９】
第１３の実施の形態によれば、第９の実施の形態に対して、より通信状態の安定している有線通信によりカード読取装置から情報端末にデータを転送できる。
【０１７０】
●●［第１４の実施の形態］
次に第１４の実施の形態のカード読取システムについて説明する。図６の構成一覧に示すように、第１４の実施の形態のカード読取システムは、第１０の実施の形態のカード読取システムに対して、データ転送方法が「無線」から「有線」に変更されている点が異なり、他は第１０の実施の形態と同じである。以下、この相違点について主に説明する。なお、カード読取装置の構成と情報端末の構成は、データ転送方法が「有線」であるので、第１０の実施の形態と異なり、図４の例に示すとおりである。
【０１７１】
第１４の実施の形態の［カード読取装置の処理］は、第１０の実施の形態の［カード読取装置の処理］に対して、図１３に示すステップＳ１０、Ｓ１５、Ｓ９０に相当する処理（通信路を確立（開設）するための処理）が、無線通信における既存の処理から、有線通信における既存の処理に変更される点が異なり、他は第１０の実施の形態と同じである。なお、有線通信における既存の処理については説明を省略する。
【０１７２】
また、第１４の実施の形態の［情報端末の処理］は、第１０の実施の形態の［情報端末の処理］に対して、図１３に示すステップＴ１０、Ｔ１５、Ｔ９０に相当する処理（通信路を確立（開設）するための処理）が、無線通信における既存の処理から、有線通信における既存の処理に変更される点が異なり、他は第１０の実施の形態と同じである。なお、有線通信における既存の処理については説明を省略する。
【０１７３】
第１４の実施の形態によれば、第１０の実施の形態に対して、より通信状態の安定している有線通信によりカード読取装置から情報端末にデータを転送できる。また、第１０の実施の形態と同様、「カード読取装置」のみにてカード読取システムを構成することができる。
【０１７４】
●●［第１５の実施の形態］
次に第１５の実施の形態のカード読取システムについて説明する。図６の構成一覧に示すように、第１５の実施の形態のカード読取システムは、第１１の実施の形態のカード読取システムに対して、データ転送方法が「無線」から「有線」に変更されている点が異なり、他は第１１の実施の形態と同じである。以下、この相違点について主に説明する。なお、カード読取装置の構成と情報端末の構成は、データ転送方法が「有線」であるので、第１１の実施の形態と異なり、図４の例に示すとおりである。
【０１７５】
第１５の実施の形態の［カード読取装置の処理］は、図１４に示す第１１の実施の形態の［カード読取装置の処理］（ステップＳ０２〜ステップＳ９０）に対して、ステップＳ１０、Ｓ１５、Ｓ９０の処理（通信路を確立（開設）するための処理）が、無線通信における既存の処理から、有線通信における既存の処理に変更される点が異なり、他は第１１の実施の形態と同じである。なお、有線通信における既存の処理については説明を省略する。
【０１７６】
また、第１５の実施の形態の［情報端末の処理］は、図１４に示す第１１の実施の形態の［情報端末の処理］（ステップＴ１０〜ステップＴ９５）に対して、ステップＴ１０、Ｔ１５、Ｔ９０の処理（通信路を確立（開設）するための処理）が、無線通信における既存の処理から、有線通信における既存の処理に変更される点が異なり、他は第１１の実施の形態と同じである。なお、有線通信における既存の処理については説明を省略する。
【０１７７】
第１５の実施の形態によれば、第１１の実施の形態に対して、より通信状態の安定している有線通信によりカード読取装置から情報端末にデータを転送できる。
【０１７８】
●●［第１６の実施の形態］
次に第１６の実施の形態のカード読取システムについて説明する。図６の構成一覧に示すように、第１６の実施の形態のカード読取システムは、第１２の実施の形態のカード読取システムに対して、データ転送方法が「無線」から「有線」に変更されている点が異なり、他は第１２の実施の形態と同じである。以下、この相違点について主に説明する。なお、カード読取装置の構成と情報端末の構成は、データ転送方法が「有線」であるので、第１２の実施の形態と異なり、図４の例に示すとおりである。
【０１７９】
第１６の実施の形態の［カード読取装置の処理］は、第１２の実施の形態の［カード読取装置の処理］に対して、図１４に示すステップＳ１０、Ｓ１５、Ｓ９０に相当する処理（通信路を確立（開設）するための処理）が、無線通信における既存の処理から、有線通信における既存の処理に変更される点が異なり、他は第１２の実施の形態と同じである。なお、有線通信における既存の処理については説明を省略する。
【０１８０】
また、第１６の実施の形態の［情報端末の処理］は、第１２の実施の形態の［情報端末の処理］に対して、図１４に示すステップＴ１０、Ｔ１５、Ｔ９０に相当する処理（通信路を確立（開設）するための処理）が、無線通信における既存の処理から、有線通信における既存の処理に変更される点が異なり、他は第１２の実施の形態と同じである。なお、有線通信における既存の処理については説明を省略する。
【０１８１】
第１６の実施の形態によれば、第１２の実施の形態に対して、より通信状態の安定している有線通信によりカード読取装置から情報端末にデータを転送できる。
【０１８２】
●●［第１７の実施の形態（図１５）］
次に第１７の実施の形態のカード読取システムについて説明する。図６の構成一覧に示すように、第１７の実施の形態のカード読取システムは、第１の実施の形態のカード読取システムに対して、データ転送タイミングが「逐次」から「一括」に変更され、データ転送方法が「無線」から「記憶媒体を着脱して転送」に変更されている点が異なり、他は第１の実施の形態と同じである。以下、この相違点について主に説明する。なお、カード読取装置の構成と情報端末の構成は、第１の実施の形態とは異なり、図５の例に示すとおりである。第１の実施の形態では、カードを１枚読み取る毎に面状画像データを作成して情報端末に「無線」で（逐次）転送したが、第１７の実施の形態では、カードを読み取る毎に面状画像データを着脱可能な記憶媒体に記憶（蓄積）し、記憶媒体をカード読取装置から取り外して情報端末に装着することで、面状画像データを情報端末に（一括）転送する。
【０１８３】
第１７の実施の形態は、第１の実施の形態に対して、データ転送タイミングが「逐次」から「一括」に変更され、データ転送方法が「無線」から「記憶媒体を着脱して転送」に変更されていることで、カード読取装置の処理と、情報端末の処理が、第１の実施の形態とは異なる。そこで、図１５に、第１７の実施の形態におけるカード読取装置の処理と、情報端末の処理を示す。以下、図１５に示す第１７の実施の形態におけるカード読取装置の処理及び情報端末の処理と、図７に示す第１の実施の形態におけるカード読取装置の処理及び情報端末の処理と、の相違点について説明する。
【０１８４】
図１５に示す第１７の実施の形態の［カード読取装置の処理］（ステップＳ１７〜Ｓ６５Ｃ）は、図７に示す第１の実施の形態の［カード読取装置の処理］（ステップＳ１０〜Ｓ９０）に対して、ステップＳ１０、Ｓ１５、Ｓ９０が省略されてステップＳ１７が追加され、ステップＳ２０がステップＳ２０Ｃに変更され、ステップＳ６５がステップＳ６５Ｃに変更されている点が異なり、他は第１の実施の形態と同じである。以下、図１５に示す［カード読取装置の処理］における第１の実施の形態からの相違点を説明する。
【０１８５】
ステップＳ１７にてカード読取装置のＣＰＵ４２は、着脱可能な記憶媒体が装着されているか否かを判定し、装着されている場合（Ｙｅｓ）はステップＳ２０Ｃに進み、装着されていない場合（Ｎｏ）はステップＳ１７に戻る。
【０１８６】
ステップＳ２０Ｃに進んだ場合、ＣＰＵ４２は、記憶媒体装着ランプ（例えば通信路確立状態表示手段１７で代用）を（例えば緑色に）点灯してステップＳ２５に進む。ステップＳ２５に進んだ場合、ステップＳ２５〜ステップＳ６０の処理は、第１の実施の形態と同様であるので説明を省略する。
【０１８７】
またステップＳ６５Ｃに進んだ場合、ＣＰＵ４２は、（作成した）面状画像データを、（装着されている）記憶媒体に記憶してステップＳ２５に戻る。
【０１８８】
図１５に示す第１７の実施の形態の［情報端末の処理］（ステップＴ１７〜Ｔ９５）は、図７に示す第１の実施の形態の［情報端末の処理］（ステップＴ１０〜Ｔ９５）に対して、ステップＴ１０、Ｔ１５、Ｔ９０が省略されてステップＴ１７、Ｔ３０が追加され、ステップＴ６５がステップＴ６５Ｃに変更され、ステップＴ７０がステップＴ７０Ｃに変更されている点が異なり、他は第１の実施の形態と同じである。以下、図１５に示す［情報端末の処理］における第１の実施の形態からの相違点を説明する。
【０１８９】
ステップＴ１７にて情報端末のＣＰＵ５２は、着脱可能な記憶媒体が装着されているか否かを判定し、装着されている場合（Ｙｅｓ）はステップＴ３０に進み、装着されていない場合（Ｎｏ）はステップＴ１７に戻る。
【０１９０】
ステップＴ３０に進んだ場合、ＣＰＵ５２は、ユーザからの読み出し操作がされたか否かを判定し、読み出し操作がされている場合（Ｙｅｓ）はステップＴ６５Ｃに進み、読み出し操作がされていない場合（Ｎｏ）はステップＴ１７に戻る。
【０１９１】
ステップＴ６５Ｃに進んだ場合、ＣＰＵ５２は、（装着されている）記憶媒体から（補正後の）面状画像データを読み出し、ステップＴ７０Ｃに進む。
【０１９２】
ステップＴ７０ＣにてＣＰＵ５２は、面状画像データの読み出しが完了したか否かを判定し、読み出しが完了した場合（Ｙｅｓ）はステップＴ９５に進み、読み出しが完了していない場合（Ｎｏ）はステップＴ６５Ｃに戻り、データの読み出しを続ける。
【０１９３】
ステップＴ９５に進んだ場合、ＣＰＵ５２は、（読み出した）面状画像データに、情報端末の位置情報取得手段５７を用いて取得した現在位置情報と、計時手段５８を用いて取得した現在日時情報と、を対応付けた面状画像データを、ＲＡＭ５４またはＲＯＭ５５（ＦｌａｓｈＲＯＭ等）に記憶し、ステップＴ６５Ｃに戻る。
【０１９４】
ステップＴ６５Ｃの処理が、情報端末を、記憶媒体から面状画像データを取得する補正後データ取得手段として機能させる読み出しプログラムに相当する。
【０１９５】
また、ステップＴ９５の処理が、情報端末を、補正後データ取得手段にて取得した面状画像データに、位置情報取得手段にて測位した現在位置情報と、計時手段にて計時した現在日時情報と、を対応付けた面状画像データを記憶するデータ記憶手段として機能させる読み出しプログラムに相当する。
【０１９６】
第１７の実施の形態は、第１の実施の形態に対して、カード読取装置の通信手段４３及び通信用のプログラムを省略することができるので、カード読取装置の構成をよりシンプルにできるとともに、カード読取装置の消費電力を低減させ、カード読取装置のより小型化に寄与することができる。
【０１９７】
●●［第１８の実施の形態］
次に第１８の実施の形態のカード読取システムについて説明する。図６の構成一覧に示すように、第１８の実施の形態のカード読取システムは、第１７の実施の形態のカード読取システムに対して、現在位置情報と現在日時情報の付加の有無が「有」から「無」に変更され、カード読取システムの構成が「カード読取装置＋情報端末の通信プログラム」から「カード読取装置」に変更されている点が異なり、他は第１７の実施の形態と同じである。以下、この相違点について主に説明する。なお、カード読取装置の構成と情報端末の構成は、第１７の実施の形態と同様であり、図５の例に示すとおりである。
【０１９８】
カード読取装置のＣＰＵ４２の処理手順は、第１７の実施の形態にて説明したステップＳ１７〜Ｓ６５Ｃ（図１５参照）と同じであるので説明を省略する。
【０１９９】
情報端末２０のＣＰＵ５２の処理手順は、第１７の実施の形態にて説明したステップＴ１７〜Ｔ９５（図１５参照）とは異なり、情報端末が予め備えている既存のデータ読み出しプログラムにてデータを読み出す。既存のデータ読み出しプログラムであるので、読み出した面状画像データに、現在位置情報と現在日時情報を対応付けた面状画像データを記憶することなく、読み出した面状画像データを、そのまま記憶することになる。従って、現在位置情報と現在日時情報の付加の有無は「無」である。従って、情報端末及び情報端末の読み出しプログラムは、既存のものを流用するだけでよく、カード読取システムを「カード読取装置」のみで構成することができる。
【０２００】
なお、カード読取システムの構成を「カード読取装置＋情報端末の通信プログラム」として、第１７の実施の形態の情報端末の処理（図１５のステップＴ１７〜Ｔ９５）を情報端末にインストールして、ステップＴ９５の処理を、（読み出した）面状画像データに、現在位置情報と現在日時情報を対応付けることなく、（読み出した）面状画像データを、そのまま記憶するように変更してもよい。
【０２０１】
●●［第１９の実施の形態（図１６）］
次に第１９の実施の形態のカード読取システムについて説明する。図６の構成一覧に示すように、第１９の実施の形態のカード読取システムは、第１７の実施の形態のカード読取システムに対して、面状画像データを作成する機器が「カード読取装置」から「情報端末」に変更されている点が異なり、他は第１７の実施の形態と同じである。以下、この相違点について主に説明する。なお、カード読取装置の構成と情報端末の構成は、第１７の実施の形態と同様であり、図５の例に示すとおりである。
【０２０２】
第１９の実施の形態は、第１７の実施の形態に対して、面状画像データを作成する機器が「カード読取装置」から「情報端末」に変更されているので、カード読取装置の処理と、情報端末の処理が、第１７の実施の形態とは異なる。そこで、図１６に、第１９の実施の形態におけるカード読取装置の処理と、情報端末の処理を示す。以下、図１６に示す第１９の実施の形態におけるカード読取装置の処理及び情報端末の処理と、図１５に示す第１７の実施の形態におけるカード読取装置の処理及び情報端末の処理と、の相違点について説明する。
【０２０３】
図１６に示す第１９の実施の形態の［カード読取装置の処理］（ステップＳ１７〜Ｓ５０）は、図１５に示す第１７の実施の形態の［カード読取装置の処理］（ステップＳ１７〜Ｓ６５Ｃ）に対して、ステップＳ５５（一時面状画像データの作成）、ステップＳ６０（面状画像データの作成）、ステップＳ６５Ｃ（面状画像データの記憶媒体への記憶）が省略されて、ステップＳ４０がステップＳ４０Ｄに変更されている点が異なり、他は第１７の実施の形態と同じである。
【０２０４】
ステップＳ４０Ｄに進んだ場合、カード読取装置のＣＰＵ４２は、挿入速度を対応付けた細長状画像データを、（装着されている）記憶媒体に記憶し、ステップＳ４５に進む。
【０２０５】
図１６に示す第１９の実施の形態の［情報端末の処理］（ステップＴ１７〜Ｔ９５）は、図１５に示す第１７の実施の形態の［情報端末の処理］（ステップＴ１７〜Ｔ９５）に対して、ステップＴ８０Ｄ（一時面状画像データの作成）、ステップＴ８５Ｄ（面状画像データの作成）が追加されている点が異なり、他は第１７の実施の形態と同じである。
【０２０６】
ステップＴ６５Ｃにて情報端末のＣＰＵ５２は、カード読取装置から細長状画像データを読み出し、ステップＴ７０Ｃに進む。
【０２０７】
ステップＴ７０ＣにてＣＰＵ５２は、データの読み出しが完了したか否かを判定し、データの読み出しが完了した場合（Ｙｅｓ）はステップＴ８０Ｄに進み、データの読み出しが完了していない場合（Ｎｏ）はステップＴ６５Ｃに戻る。
【０２０８】
ステップＴ８０ＤにてＣＰＵ５２は、カード２１の挿入速度が対応付けられた細長状画像データを（隣り合う細長状画像データを隙間なく）順番に並べて一時面状画像データを作成してステップＴ８５Ｄに進む。なお、一時面状画像データの作成方法は、第１の実施の形態において説明した方法のとおりであり、作成した一時面状画像データは、図９に示すとおりである。
【０２０９】
ステップＴ８５ＤにてＣＰＵ５２は、一時面状画像データを形成している各細長状画像データに対応付けられている挿入速度に応じて一時面状画像データを補正した面状画像データを作成し、ステップＴ９５に進む。なお、面状画像データの作成方法は、第１の実施の形態において説明した方法のとおりであり、作成した面状画像データは、図１０に示すとおりである。
【０２１０】
ステップＴ９５に進んだ場合、ＣＰＵ５２は、第１７の実施の形態の場合と同様、（作成した）面状画像データに、情報端末の位置情報取得手段５７を用いて取得した現在位置情報と、計時手段５８を用いて取得した現在日時情報と、を対応付けた面状画像データを、ＲＡＭ５４またはＲＯＭ５５（ＦｌａｓｈＲＯＭ等）に記憶し、ステップＴ６５Ｃに戻る。
【０２１１】
なお、ステップＴ６５Ｃの処理が、情報端末を、記憶媒体から挿入速度が対応付けられている細長状画像データを取得する補正前データ取得手段として機能させる読み出しプログラムに相当する。
【０２１２】
また、ステップＴ８０Ｄ、Ｔ８５Ｄの処理が、情報端末を、補正前データ取得手段にて取得した細長状画像データを順番に並べてカードに対応する一時面状画像データを作成し、各細長状画像データに対応付けられている挿入速度に応じて一時面状画像データを補正した面状画像データを作成する面状画像データ作成手段として機能させる読み出しプログラムに相当する。
【０２１３】
また、ステップＴ９５の処理が、情報端末を、面状画像データ作成手段にて作成した面状画像データを記憶するデータ記憶手段として機能させる読み出しプログラムに相当する。また、データ記憶手段として機能させる際、面状画像データ作成手段にて作成した面状画像データに、位置情報取得手段にて測位した現在位置情報と、計時手段にて計時した現在日時情報と、を対応付けた面状画像データを記憶するデータ記憶手段として機能させる読み出しプログラムに相当する。
【０２１４】
第１９の実施の形態は、第１７の実施の形態に対して、カード読取装置に搭載するプログラムを、よりシンプルにしてカード読取装置の処理負荷を軽減し、カード読取装置の消費電力を低減することができる。従って、カード読取装置のより小型化に寄与することができる。
【０２１５】
●●［第２０の実施の形態］
次に第２０の実施の形態のカード読取システムについて説明する。図６の構成一覧に示すように、第２０の実施の形態のカード読取システムは、第１９の実施の形態のカード読取システムに対して、現在位置情報と現在日時情報の付加の有無が「有」から「無」に変更されている点が異なり、他は第１９の実施の形態と同じである。以下、この相違点について主に説明する。なお、カード読取装置の構成と情報端末の構成は、第１９の実施の形態と同様であり、図５の例に示すとおりである。
【０２１６】
第２０の実施の形態の［カード読取装置の処理］は、図１６に示した第１９の実施の形態の［カード読取装置の処理］（ステップＳ１７〜Ｓ５０）と同じであるので、説明を省略する。
【０２１７】
第２０の実施の形態の［情報端末の処理］は、図１６に示した第１９の実施の形態の［情報端末の処理］（ステップＴ１７〜Ｔ９５）において、ステップＴ９５の処理が、以下のように異なる。ステップＴ９５にて情報端末のＣＰＵ５２は、（作成した）面状画像データに、現在位置情報と現在日時情報を対応付けることなく、（作成した）面状画像データを、そのまま記憶する。
【０２１８】
第２０の実施の形態によれば、例えば、情報端末にインストールする読み出しプログラムを、位置情報取得手段を有していない情報端末にも適用することができる。
【０２１９】
●●［その他の実施例（その１）：汎用の（既存の）名刺ホルダＨに収容可能なカード読取装置２（図１７）］
次に、図１７を用いて、汎用の（既存の）名刺ホルダＨに収容可能なカード読取装置２について説明する。図１の例に示したカード読取装置１Ａに対して、図１７の例に示すカード読取装置２は、機能・動作等は同じであるが、外観及びサイズが異なる。
【０２２０】
図１７に示すカード読取装置２の外観については、図１に示すカード読取装置１Ａに対して、蓋部１１、正面扉部１２が省略されている。また、起動手段１４、通信路確立手段１５、通信路確立状態表示手段１７等の位置が、カード読取装置２が名刺ホルダＨ内に収容された際にも操作可能となる位置に変更されている。
【０２２１】
また図１７に示すカード読取装置２のサイズについて、カード読取装置２におけるケース１０は、汎用の（既存の）名刺ホルダＨ内に収容可能なサイズに形成されており、カード読取装置２は、名刺ホルダＨの名刺収容空間内に収容される。つまり、名刺ホルダＨにおける名刺収容空間の縦・横・高さのそれぞれのサイズよりも、カード読取装置２の縦・横・高さのそれぞれのサイズのほうが小さい。そして、カード読取装置２が前記名刺ホルダＨ内に収容されている場合は、前記挿入スリット１３から挿入されたカード２１は前記名刺ホルダＨ内のカード読取装置２内に収容される。
【０２２２】
名刺ホルダＨ内に収容可能なカード読取装置２によれば、汎用の名刺ホルダＨに本発明のカード読取装置２を収容できるので、より汎用性が高く経済的である。また、ユーザは、お気に入りの名刺ホルダにカード読取装置２を収容させることができるので、気に入った名刺ホルダを持ち歩いて、受け取った名刺を、その場で読み取ることができる。
【０２２３】
●●［その他の実施例（その２）：挿入したカードの取り出しを容易にする切欠き１０Ｋを備えたカード読取装置３（図１８）］
次に図１８を用いて、切欠き１０Ｋを備えたカード読取装置３について説明する。カード読取装置３の挿入スリット１３のいずれかの位置には、挿入終了位置まで挿入されたカード２１における挿入方向とは反対側の縁部２１Ａが挿入スリット１３から露出するように切欠き１０Ｋが設けられている。ユーザは、カード２１を挿入スリット１３から挿入終了位置まで挿入した後、切欠き１０Ｋに露出しているカード２１の縁部２１Ａを指でつまんで、カード２１を容易に取り出すことができるので、便利である。
【０２２４】
本発明のカード読取システムは、本実施の形態で説明した外観、構成、構造、処理、表示例等に限定されず、本発明の要旨を変更しない範囲で種々の変更、追加、削除が可能である。
【０２２５】
例えば、挿入速度検出手段は、ローラ状のエンコーダではなく、パソコンのマウス等で用いられているセンサ（移動検出手段）を利用してもよい。また、補助ローラ３３や、切欠き１０Ｋは省略してもよい。
【０２２６】
また、各実施の形態にて説明した処理手順は、各フローチャートに限定されるものではなく、種々の変更、追加、削除が可能である。
【０２２７】
また、情報端末における表示の例は、図１１に示す例に限定されるものではない。
【符号の説明】
【０２２８】
１        カード読取システム
１Ａ、１Ｂ、１Ｃ、２、３    カード読取装置
１０      ケース
１０Ｋ    切欠き
１１      蓋部
１２      正面扉部
１３      挿入スリット
１４      起動手段
１５      通信路確立手段
１７      通信路確立状態表示手段
１８      電源挿入口
１９      接触検出手段
２０、２０Ｂ、２０Ｃ    情報端末
２１      カード
２２      電池
３１      スキャナヘッド
３２      挿入速度検出手段
３３      補助ローラ
３４      読取画素
４１      制御装置
４２      ＣＰＵ（スキャナ制御手段）
４３、４３Ｂ    通信手段
４４      ＲＡＭ
４５      ＲＯＭ
４６      （着脱可能な）記憶媒体
４９      ソケット
５２      ＣＰＵ（情報端末制御手段）
５３、５３Ｂ    通信手段
５４      ＲＡＭ
５５      ＲＯＭ
５６      表示画面
５７      位置情報取得手段
５８      計時手段
５９      ソケット
Ｇ１０    面状画像データ表示部
Ｇ１１    位置情報
Ｇ１２    日時情報
Ｇ１３    面状画像データ
Ｇ２０    地図表示部
Ｈ        （既存の）名刺ホルダ
Ｋ１      内部空間
【図１】
2017069869.tif 000003
【図２】
2017069869.tif 000004
【図３】
2017069869.tif 000005
【図４】
2017069869.tif 000006
【図５】
2017069869.tif 000007
【図６】
2017069869.tif 000008
【図７】
2017069869.tif 000009
【図８】
2017069869.tif 000010
【図９】
2017069869.tif 000011
【図１０】
2017069869.tif 000012
【図１１】
2017069869.tif 000013
【図１２】
2017069869.tif 000014
【図１３】
2017069869.tif 000015
【図１４】
2017069869.tif 000016
【図１５】
2017069869.tif 000017
【図１６】
2017069869.tif 000018
【図１７】
2017069869.tif 000019
【図１８】
2017069869.tif 000020